(57)【特許請求の範囲】
【請求項１】
ａ）次式（１）の一種または二種以上の互いに独立した繰り返し構造単位２０．０〜９８．９７モル％、
【化１】
0005976687.tif 000092
［式中、
Ｒａは、水素、メチルまたはエチルを意味し、
Ａは、線状もしくは分枝状Ｃ１−Ｃ１２−アルキレンを意味し、そして
Ｑ＋は、対イオンを表す］
及び
ｂ）次式（２）の一種または二種以上の互いに独立した繰り返し構造単位１．０〜６０．０モル％、
【化２】
0005976687.tif 000093
［式中、
Ｒｂは、水素、メチルまたはエチルを意味し、
Ｒｃは、水素、炭素原子数１〜５０の線状もしくは分枝状アルキル基、炭素原子数２〜６の線状もしくは分枝状モノ−ヒドロキシアルキル基、または炭素原子数２〜６の線状もしくは分枝状ジ−ヒドロキシアルキル基を意味し、
Ｒｄは、炭素原子数１〜５０の線状もしくは分枝状アルキル基、炭素原子数２〜６の線状もしくは分枝状モノ−ヒドロキシアルキル基または炭素原子数２〜６の線状もしくは分枝状ジ−ヒドロキシアルキル基を意味する］
及び
ｄ）次式（５）の一種また二種以上の互いに独立した繰り返し架橋性構造単位０．０１〜８．０モル％、
【化３】
0005976687.tif 000094
［式中、
Ｒ１は、水素、メチル、エチル、メチロールまたはエチロールを意味し、
Ｒ２ａ、Ｒ２ｂ及びＲ２ｃは、それぞれ互いに独立して、水素、メチルまたはエチルを意味し、
Ｘは、化学結合、メチレン、エチレンまたは炭素原子数３の線状もしくは分枝状アルキレン基を意味し、
Ｙ１、Ｙ２及びＹ３は、それぞれ互いに独立して、化学結合、Ｏ、ＣＨ２、Ｃ（Ｏ）Ｏ、ＯＣ（Ｏ）、Ｃ（Ｏ）ＮＲ３またはＮＲ３Ｃ（Ｏ）を意味し、
Ｒ３は、水素またはＣ原子数１〜５０の線状もしくは分枝状アルキル基を意味し、
Ｄ、Ｅ及びＦは、それぞれ互いに独立して、メチレンオキシ、エチレンオキシ、プロピレンオキシ、炭素原子数１〜６の線状もしくは分枝状アルキレン基、炭素原子数２〜６の線状もしくは分枝状でモノ不飽和もしくはポリ不飽和のアルケニレン基、炭素原子数２〜６の線状もしくは分枝状モノ−ヒドロキシアルキレン基、または炭素原子数３〜６の線状もしくは分枝状ジ−ヒドロキシアルキレン基を意味し、
ｏ、ｐ及びｑは、それぞれ互いに独立して、０〜５０の整数を意味し、そしてｏ＋ｐ＋ｑの合計は≧３である］
を含む水溶性または水膨潤性ポリマーであって、次式（１０）：
【化４】
0005976687.tif 000095
［式中、
Ｒ１ａは、水素、メチルまたはエチルを意味し、
Ｚ＋は、Ｈ＋、ＮＨ４＋、有機アンモニウムイオン［ＨＮＲ５ｂＲ６ｂＲ７ｂ］＋（式中、Ｒ５ｂ、Ｒ６ｂ及びＲ７ｂは、互いに独立して、水素、炭素原子数１〜２２の線状もしくは分枝状アルキル基、炭素原子数２〜２２の線状もしくは分枝状でモノ不飽和もしくはポリ不飽和のアルケニル基、Ｃ６−Ｃ２２−アルキルアミドプロピル基、炭素原子数２〜１０の線状モノ−ヒドロキシアルキル基または炭素原子数３〜１０の線状もしくは分枝状ジ−ヒドロキシアルキル基であることができ、この際、Ｒ５ｂ、Ｒ６ｂ及びＲ７ｂ基のうちの少なくとも一つは水素ではない）、Ｌｉ＋、Ｎａ＋、Ｋ＋、１／２Ｃａ＋＋、１／２Ｍｇ＋＋、１／２Ｚｎ＋＋または１／３Ａｌ＋＋＋あるいはこれらのイオンからなる混合物を表し、
Ｂは、炭素原子数１〜６の線状もしくは分枝状アルキレン基であり、そして
ｎは、１〜１０の整数である］
の構造単位を含まないことを特徴とする、前記水溶性または水膨潤性ポリマー。
【請求項２】
式（１）の一種または二種以上の構造単位が、２−アクリルアミド−２−メチル−プロパンスルホン酸またはそれの塩から誘導されることを特徴とする、請求項１に記載のポリマー。
【請求項３】
Ｑ＋が、Ｈ＋、ＮＨ４＋、有機アンモニウムイオン［ＨＮＲ５Ｒ６Ｒ７］＋（式中、Ｒ５、Ｒ６及びＲ７は、互いに独立して、水素、炭素原子数１〜２２の線状もしくは分枝状アルキル基、炭素原子数２〜２２の線状もしくは分枝状でモノ不飽和もしくはポリ不飽和のアルケニル基、Ｃ６−Ｃ２２−アルキルアミドプロピル基、炭素原子数２〜１０の線状モノ−ヒドロキシアルキル基、または炭素原子数３〜１０の線状もしくは分枝状ジ−ヒドロキシアルキル基であることができ、この際、Ｒ５、Ｒ６及びＲ７基のうちの少なくとも一つは水素ではない）、アルカリ金属＋、１／２アルカリ土類金属＋＋、１／２Ｚｎ＋＋または１／３Ａｌ＋＋＋あるいはこれらのイオンの混合物を表すことを特徴とする、請求項１または２に記載のポリマー。
【請求項４】
Ｑ＋が、Ｈ＋、ＮＨ４＋、アルカリ金属＋、アルカリ土類金属＋＋またはこれらのイオンの混合物を表すことを特徴とする、請求項３に記載のポリマー。
【請求項５】
式（１）の一種または二種以上の構造単位の中和度が５０．０〜１００モル％であることを特徴とする、請求項１〜４のいずれか一つに記載のポリマー。
【請求項６】
式（２）の一種または二種以上の構造単位において、Ｒｂが水素またはメチルであり、Ｒｃが、Ｈ、炭素原子数１〜６の線状もしくは分枝状アルキル基、または炭素原子数２〜６の線状もしくは分枝状モノ−ヒドロキシアルキル基であり、そしてＲｄが、炭素原子数１〜６の線状もしくは分枝状アルキル基または炭素原子数２〜６の線状もしくは分枝状モノ−ヒドロキシアルキル基であることを特徴とする、請求項１〜５のいずれか一つに記載のポリマー。
【請求項７】
式（５）の一種または二種以上の構造単位において、Ｒ１が水素またはエチルであり、Ｒ２ａ、Ｒ２ｂ及びＲ２ｃが、それぞれ互いに独立して、水素またはメチルであり、Ｘが、化学結合またはメチレンであり、Ｙ１、Ｙ２及びＹ３が、それぞれ互いに独立して、Ｃ（Ｏ）ＯまたはＯＣ（Ｏ）であり、Ｄ、Ｅ及びＦが、それぞれ互いに独立して、エチレンオキシまたはプロピレンオキシであり、ｏ、ｐ及びｑが、それぞれ互いに独立して、０〜３０の整数であり、そしてｏ＋ｐ＋ｑの合計が３〜２０であることを特徴とする、請求項１〜６のいずれか一つに記載のポリマー。
【請求項８】
式（５）の一種または二種以上の構造単位が、グリセリンプロポキシレートトリアクリレート（ＧＰＴＡ）、トリメチロールプロパンプロポキシトリアクリレート（ＴＭＰＴＡ−ＰＯ−３）及びトリメチロールプロパンエトキシトリアクリレート（ＴＭＰＴＡ−ＥＯ−３）からなる群から選択される一種または二種以上の架橋剤に由来することを特徴とする、請求項７に記載のポリマー。
【請求項９】
追加的に次式（３）の一種または二種以上の互いに独立した繰り返し構造単位を０．０１〜３０．０モル％含むことを特徴とする、請求項１〜８のいずれか一つに記載のポリマー。
【化５】
0005976687.tif 000096
［式中、
Ｒｘは、水素、メチルまたはエチルを意味し、そして
ｍは、２〜９の整数を意味する］
【請求項１０】
追加的に次式（４）の一種または二種以上の互いに独立した繰り返し構造単位を０．０１〜３０．０モル％含む、請求項１〜９のいずれか一つに記載のポリマー。
【化６】
0005976687.tif 000097
［式中、
Ｒｙは、水素、メチルまたはエチルを意味し、そして
Ｘ＋は、対イオンを表す］
【請求項１１】
次式（１０）の構造単位を含まないことを特徴とする、請求項１〜１０のいずれか一つに記載のポリマー。
【化７】
0005976687.tif 000098
［式中、
Ｒ１ａは、水素、メチルまたはエチルを意味し、
Ｚ＋は、対イオンを表し、
Ｂは、炭素原子数１〜６の線状もしくは分枝状アルキレン基であり、そして
ｎは、１〜１０の整数である］
【請求項１２】
請求項１〜１１のいずれか一つに記載の一種または二種以上のポリマーを、組成物の総重量を基準にして０．０１〜１０．０重量％の量で含む、化粧料組成物、皮膚科学的組成物または医薬組成物。
【請求項１３】
水系もしくは水−アルコール系として構成されるか、またはエマルションとして存在することを特徴とする、請求項１２に記載の化粧料組成物、皮膚科学的組成物または医薬組成物。
【請求項１４】
無機塩及び有機塩から選択される一種または二種以上の物質を含むことを特徴とする、請求項１２または１３に記載の化粧料組成物、皮膚科学的組成物または医薬組成物。
【請求項１５】
アルファ−及びベータ−ヒドロキシ酸から選択される一種または二種以上の物質を含むことを特徴とする、請求項１２〜１４のいずれか一つに記載の化粧料組成物、皮膚科学的組成物または医薬組成物。
【請求項１６】
ビタミンＣ及びビタミンＣ誘導体から選択される一種または二種以上の物質を含むことを特徴とする、請求項１２〜１５のいずれか一つに記載の化粧料組成物、皮膚科学的組成物または医薬組成物。
【請求項１７】
安息香酸、ソルビン酸、サリチル酸、乳酸及びパラメトキシ安息香酸から選択される一種または二種以上の物質を含むことを特徴とする、請求項１２〜１６のいずれか一つに記載の化粧料組成物、皮膚科学的組成物または医薬組成物。
【請求項１８】
一種または二種以上の抗菌有効物質を含み、そして消毒用ジェルの形で存在することを特徴とする、請求項１２〜１７のいずれか一つに記載の化粧料組成物、皮膚科学的組成物または医薬組成物。
【請求項１９】
無機及び有機ＵＶ−フィルターから選択される一種または二種以上の物質を含むことを特徴とする、請求項１２〜１８のいずれか一つに記載の化粧料組成物、皮膚科学的組成物または医薬組成物。
【請求項２０】
ｐＨ値が２〜１０であることを特徴とする、請求項１２〜１９のいずれか一つに記載の化粧料組成物、皮膚科学的組成物または医薬組成物。
【請求項２１】
増粘剤、コンシステンシー付与剤、乳化剤、感覚添加剤、可溶化剤、分散剤、滑剤、接着剤、安定化剤または降伏点発生剤としての、請求項１〜１１のいずれか一つに記載の一種または二種以上のポリマーの使用。
【請求項２２】
エマルションの安定化のための、請求項２１に記載の一種または二種以上のポリマーの使用。
【請求項２３】
塩含有エマルションの安定化のための、請求項２１に記載の一種または二種以上のポリマーの使用。
【発明の詳細な説明】
【技術分野】
【０００１】
本発明は、スルホン酸基を有する特定のモノマーまたは対応するスルホネート、例えば２−アクリルアミド−２−メチル−プロパンスルホン酸またはそれの塩、特定の開鎖状アクリル−、メタクリル−またはエタクリルアミド、及び特定の三官能性架橋剤をベースとするポリマー、そのようなポリマーの製造方法、このようなポリマーの一種または二種以上を含む化粧料組成物、皮膚科学的組成物または医薬組成物並びにこのようなポリマーの特定の使用、例えば感覚添加剤、増粘剤またはコンシステンシー付与剤としてのこのようなポリマーの使用に関する。
【背景技術】
【０００２】
２−アクリルアミド−２−メチル−プロパンスルホン酸をベースとするポリマーは、長年にわたり市場において、化粧料組成物、皮膚科学的組成物及び医薬組成物中の多才なゲル形成剤及び増粘剤として定着している。
【０００３】
例えば、ＥＰ０８１６４０３（特許文献１）（Ｃｌａｒｉａｎｔ）は、２−アクリルアミド−２−メチル−プロパンスルホネートをベースとする水溶性または水膨潤性ポリマーを開示している。架橋性モノマーとしては、ジプロピレングリコールジアリルエーテル、ポリグリコールジアリルエーテル、トリエチレングリコールジビニルエーテル、ヒドロキノンジアリルエーテル、テトラアリルオキシエタン、テトラエチレングリコールジアクリレート、トリアリルアミン、トリメチロールプロパンジアリルエーテル、メチレンビスアクリルアミド、ジビニルベンゼン、トリメチロールプロパントリアクリレート（ＴＭＰＴＡ）及びトリメチロールプロパントリメタクリレート（ＴＭＰＴＭＡ）が挙げられている。
【０００４】
これらのポリマーは、広いｐＨ範囲で水中で膨潤し、そして取り扱いが簡単である。これらは、例えばＥＰ０８１５８４３（特許文献２）、ＥＰ０８１５８４４（特許文献３）、ＥＰ０８１５８４５（特許文献４）、ＥＰ０８１５８４６（特許文献５）、ＥＰ０８１５８４７（特許文献６）、ＥＰ０８１５８２８（特許文献７）、ＥＰ０８２９２５８（特許文献８）、ＥＰ１１３６０５８（特許文献９）、ＥＰ１３２５７２９（特許文献１０）及びＥＰ１４６８６７０（特許文献１１）（Ｌ’Ｏｒｅａｌ）に記載されるように、化粧料工業において幅の広い使用分野を見出している。
【０００５】
ＷＯ２０１０／１０８６３４（特許文献１２）（Ｃｌａｒｉａｎｔ）は、例えば、２−アクリルアミド−２−メチル−プロパンスルホン酸またはそれの塩から誘導される構造単位及びカルボキシエチルアクリレートから誘導される構造単位を含む架橋されたポリマーを開示している。このポリマーは、界面活性剤含有組成物中において降伏点を形成することによって増粘剤及び安定化剤として特に適している。
【０００６】
ＥＰ１７４６１１４（特許文献１３）（Ｓｈｉｓｅｉｄｏ）は、例えば、２−アクリルアミド−２−メチル−プロパンスルホン酸またはそれの塩から誘導される構造単位及びヒドロキシエチルアクリルアミドから誘導される構造単位からなる架橋されたポリマーを開示している。架橋性モノマーとしては、エチレングリコールジアクリレート、エチレングリコールジメタクリレート、ポリオキシエチレンジアクリレート、ポリオキシエチレンジメタクリレート、ジエチレングリコールジメタクリレート、トリメチロールプロパントリアクリレート、Ｎ，Ｎ−メチレン−ビス−アクリルアミド、Ｎ，Ｎ−エチレン−ビス−アクリルアミド、トリアリルイソシアヌレート及びペンタエリトリトールジメタクリレートが挙げられている。
【０００７】
ＷＯ２０１０／００９９５３（特許文献１４）（Ｈｅｎｋｅｌ）は、例えば、２−アクリルアミド−２−メチル−プロパンスルホン酸またはそれの塩、ジメチルアクリルアミド及びアクリル酸からなる架橋されたポリマーを含むスタイリング剤を開示している。
【０００８】
ＥＰ１１１６７３３（特許文献１５）（Ｃｌａｒｉａｎｔ）は、例えば、２−アクリルアミド−２−メチル−プロパンスルホン酸またはそれの塩及びビニルアミドに由来する構造単位を含む架橋されたポリマーを開示している。このポリマーは、優れた爽やかな皮膚感覚と低いべたつき感とを有している。架橋性モノマーとしては、アリルアクリレート、アリルメタクリレート、ジプロピレングリコールジアリルエーテル、ポリグリコールジアリルエーテル、トリエチレングリコールジビニルエーテル、ヒドロキノンジアリルエーテル、テトラアリルオキシエタン、テトラエチレングリコールジアクリレート、トリアリルアミン、トリメチロールプロパンジアリルエーテル、Ｎ，Ｎ−メチレン−ビス−アクリルアミド、ジビニルベンゼン、及びトリメチロールプロパントリアクリレートが挙げられている。しかし、記載のポリマーは、それの長期のケア作用に関して改善が必要である。
【０００９】
２−アクリルアミド−２−メチル−プロパンスルホン酸またはそれの塩及びジアルキルアクリルアミドからなる架橋されたポリマーが、ＪＰ２００５／２０６６０７（特許文献１６）（Ｓｈｉｓｅｉｄｏ）から知られている。架橋性モノマーとしては、エチレングリコールジアクリレート、エチレングリコールジメタクリレート、ポリオキシエチレンジアクリレート、ポリオキシエチレンジメタクリレート、ジエチレングリコールジメタクリレート、トリメチロールプロパントリアクリレート、Ｎ，Ｎ−メチレン−ビス−アクリルアミド、Ｎ，Ｎ−エチレン−ビス−アクリルアミド、トリアリルイソシアヌレート、及びペンタエリトリトールジメタクリレートが挙げられている。
【先行技術文献】
【特許文献】
【００１０】
【特許文献１】ＥＰ０８１６４０３
【特許文献２】ＥＰ０８１５８４３
【特許文献３】ＥＰ０８１５８４４
【特許文献４】ＥＰ０８１５８４５
【特許文献５】ＥＰ０８１５８４６
【特許文献６】ＥＰ０８１５８４７
【特許文献７】ＥＰ０８１５８２８
【特許文献８】ＥＰ０８２９２５８
【特許文献９】ＥＰ１１３６０５８
【特許文献１０】ＥＰ１３２５７２９
【特許文献１１】ＥＰ１４６８６７０
【特許文献１２】ＷＯ２０１０／１０８６３４
【特許文献１３】ＥＰ１７４６１１４
【特許文献１４】ＷＯ２０１０／００９９５３
【特許文献１５】ＥＰ１１１６７３３
【特許文献１６】ＪＰ２００５／２０６６０７
【非特許文献】
【００１１】
【非特許文献１】“Ｍａｋｒｏｍｏｌｅｋｕｌａｒｅ  Ｃｈｅｍｉｅ：  Ｅｉｎｅ  Ｅｉｎｆｕｅｈｒｕｎｇ”，Ｂｅｒｎｄ  Ｔｉｅｋｅ，Ｗｉｌｅｙ−ＶＣＨ，２．完全改訂及び拡張版（９．Ｓｅｐｔｅｍｂｅｒ  ２００５）  ＩＳＢＮ−１０：  ３５２７３１３７９６
【発明の開示】
【発明が解決しようとする課題】
【００１２】
しかし、上記の架橋されたポリマーを使用した場合には、化粧料組成物、皮膚科学的組成物または医薬組成物において全ての感覚的特性プロフィルをカバーすることはできず、加えて、塩の存在下でのそれの増粘性能は、しばしば、改良の必要がある。
【課題を解決するための手段】
【００１３】
それ故、本発明の課題は、特に化粧料組成物、皮膚科学的組成物及び医薬組成物において、感覚的性質が最適化された特性プロフィル、例えばリッチなケア的皮膚感を与え、加えて、有利には、塩含有組成物、例えば水を含む塩含有組成物中でも、増粘剤として適した、ポリマーを提供することであった。
【００１４】
驚くべきことに、上記の課題が、以下の式（１）で表されるスルホン酸基またはそれの塩を含む特定のモノマー、例えば２−アクリルアミド−２−メチル−プロパンスルホン酸または−スルホネート、以下の式（２）で表される特定の開鎖状アミド、及び以下の式（５）で表される特定の三官能性架橋剤をベースとするポリマーによって解消されることが見出された。
【００１５】
それ故、本発明の対象は、
ａ）次式（１）の一種または二種以上の互いに独立した繰り返し構造単位２０．０〜９８．９７モル％、好ましくは４０．０〜９７．７モル％、特に好ましくは６０．０〜９３．７５モル％、
【００１６】
【化１】
0005976687.tif 000002
［式中、
Ｒａは、水素、メチルまたはエチルを意味し、
Ａは、線状もしくは分枝状Ｃ１〜Ｃ１２アルキレンまたは好ましくは線状もしくは分枝状Ｃ１〜Ｃ８アルキレンを意味し、そして
Ｑ＋は、対イオンを表す］
及び
ｂ）次式（２）の一種または二種以上の互いに独立した繰り返し構造単位１．０〜６０．０モル％、好ましくは２．０〜３９．９モル％、特に好ましくは５．０〜２９．５モル％、
【００１７】
【化２】
0005976687.tif 000003
［式中、
Ｒｂは、水素、メチルまたはエチルを意味し、
Ｒｃは、水素、炭素原子数１〜５０、好ましくは１〜１０、特に好ましくは１〜６の線状もしくは分枝状アルキル基、炭素原子数２〜６、好ましくは２〜５の線状もしくは分枝状モノ−ヒドロキシアルキル基、または炭素原子数２〜６、好ましくは２〜５の線状もしくは分枝状ジ−ヒドロキシアルキル基を意味し、そして
Ｒｄは、炭素原子数１〜５０、好ましくは１〜１０、特に好ましくは１〜６の線状もしくは分枝状アルキル基、炭素原子数２〜６、好ましくは２〜５の線状もしくは分枝状モノ−ヒドロキシアルキル基、または炭素原子数２〜６、好ましくは２〜５の線状もしくは分枝状ジ−ヒドロキシアルキル基を意味する］
及び
ｄ）次式（５）の一種または二種以上の互いに独立した繰り返し架橋性構造単位０．０１〜８．０モル％、好ましくは０．１〜５．０モル％、特に好ましくは０．２５〜３．０モル％、
【００１８】
【化３】
0005976687.tif 000004
［式中、
Ｒ１は、水素、メチル、エチル、メチロール（−ＣＨ２−ＯＨ）またはエチロール（−ＣＨ２−ＣＨ２−ＯＨ）を意味し、
Ｒ２ａ、Ｒ２ｂ及びＲ２ｃは、それぞれ互いに独立して、水素、メチルまたはエチルを意味し、
Ｘは、化学結合、メチレン（−ＣＨ２−）、エチレン（−ＣＨ２−ＣＨ２−）、または炭素原子数３の線状もしくは分枝状アルキレン基を意味し、
Ｙ１、Ｙ２及びＹ３は、それぞれ互いに独立して、化学結合、Ｏ、ＣＨ２、Ｃ（Ｏ）Ｏ、ＯＣ（Ｏ）、Ｃ（Ｏ）ＮＲ３またはＮＲ３Ｃ（Ｏ）を意味し、
Ｒ３は、水素またはＣ原子数１〜５０の線状もしくは分枝状アルキル基を意味し、
Ｄ、Ｅ及びＦは、それぞれ互いに独立して、メチレンオキシ、エチレンオキシ、プロピレンオキシ、炭素原子数１〜６の線状もしくは分枝状アルキレン基、炭素原子数２〜６の線状もしくは分枝状でモノ不飽和もしくはポリ不飽和のアルケニレン基、炭素原子数２〜６の線状もしくは分枝状モノ−ヒドロキシアルキレン基、または炭素原子数３〜６の線状もしくは分枝状ジ−ヒドロキシアルキレン基を意味し、
ｏ、ｐ及びｑは、それぞれ互いに独立して、０〜５０の整数を意味し、そしてｏ＋ｐ＋ｑの合計は≧３である］
を含む水溶性または水膨潤性ポリマーである。
【発明を実施するための形態】
【００１９】
式（５）の構造単位のＤ、Ｅ及びＦの定義において、“メチレンオキシ”は−ＣＨ２−Ｏ−または−Ｏ−ＣＨ２−を、“エチレンオキシ”は−ＣＨ２−ＣＨ２−Ｏ−または−Ｏ−ＣＨ２−ＣＨ２−を、そして“プロピレンオキシ”は、−ＣＨ（ＣＨ３）−ＣＨ２−Ｏ−、−ＣＨ２−ＣＨ（ＣＨ３）−Ｏ−、−Ｏ−ＣＨ（ＣＨ３）−ＣＨ２−または−Ｏ−ＣＨ２−ＣＨ（ＣＨ３）−を意味する。
【００２０】
本発明の枠内において、式（１）、（２）及び（５）の構造単位について［並びに後で記載する式（３）及び（４）の構造単位について］記載する量（モル％）は、本発明のポリマーに含まれる全ての繰り返し構造単位の総量に基づく。
【００２１】
本発明のポリマーには、式（１）及び／または式（２）及び／または式（５）のそれぞれ異なる構造単位が含まれ得る。
【００２２】
本発明のポリマーは、中でも、特に化粧料組成物、皮膚科学的組成物または医薬組成物において、水性の系の増粘剤として、及びコンシステンシー付与剤として、優れて適している。これらは、従来技術のポリマーと比べて、特に、より高いケア的皮膚感を示す。更に、これらは、特に塩含有組成物、例えば水を含む塩含有組成物において、より高い粘度ももたらす。加えて、これらは有利な塩安定性を示す。更には、これらは、有利な長期ケア作用も示す。有利なことに、これらは加えて、広いｐＨ範囲、すなわち強酸性ｐＨ値でも、良好な増粘性を示す。
【００２３】
本発明のポリマーの式（１）の一種または二種以上の構造単位において、Ｒａは好ましくは水素またはメチルであり、特に好ましくは水素である。
【００２４】
本発明のポリマーの式（１）の一種または二種以上の構造単位において、Ａは好ましくは式−Ｃ（ＣＨ３）２−ＣＨ２−の構造単位である。
【００２５】
特に好ましくは、本発明のポリマーの式（１）の一種または二種以上の構造単位は、２−アクリルアミド−２−メチル−プロパンスルホン酸またはそれの塩から誘導される。
【００２６】
既に述べたように、一つの本発明のポリマー中には、例えば、式（１）の異なる構造単位が含まれ得る。一つの本発明のポリマーは、例えば、異なる対イオンＱ＋によって互いに異なる複数種の式（１）の構造単位を含むことができる。
【００２７】
本発明のポリマーの式（１）の一種または二種以上の構造単位において、対イオンＱ＋は、好ましくは、Ｈ＋、ＮＨ４＋、有機アンモニウムイオン［ＨＮＲ５Ｒ６Ｒ７］＋（式中、Ｒ５、Ｒ６及びＲ７は、互いに独立して、水素、炭素原子数１〜２２の線状もしくは分枝状アルキル基、炭素原子数２〜２２の線状もしくは分枝状でモノ不飽和もしくはポリ不飽和のアルケニル基、Ｃ６〜Ｃ２２アルキルアミドプロピル基、炭素原子数２〜１０の線状モノ−ヒドロキシアルキル基、または炭素原子数３〜１０の線状もしくは分枝状ジ−ヒドロキシアルキル基であることができ、この際、Ｒ５、Ｒ６及びＲ７基のうちの少なくとも一つは水素ではない）、アルカリ金属＋（ここで、アルカリ＋の中ではＬｉ＋、Ｎａ＋及びＫ＋が好ましい）、１／２アルカリ土類金属＋＋（ここで、１／２アルカリ土類金属＋＋の中で１／２Ｃａ＋＋及び１／２Ｍｇ＋＋が好ましい）、１／２Ｚｎ＋＋または１／３Ａｌ＋＋＋、あるいはこれらのイオンの混合物を表す。
【００２８】
本発明のポリマーの式（１）の一種または二種以上の構造単位では、対イオンＱ＋は、特に好ましくは、Ｈ＋、ＮＨ４＋、アルカリ金属＋（ここで、アルカリ金属＋の中では、Ｎａ＋が好ましい）、１／２アルカリ土類金属＋＋（ここで、１／２アルカリ土類金属＋＋の中では、１／２Ｃａ＋＋及び１／２Ｍｇ＋＋が好ましい）、またはこれらのイオンの混合物を表す。就中好ましくは、本発明の式（１）の一種または二種以上の構造単位において対イオンＱ＋は、Ｈ＋、ＮＨ４＋及びＮａ＋からなる群から選択され、中でも好ましくは、Ｑ＋は、Ｈ＋及びＮＨ４＋からなる群から選択される。
【００２９】
好ましくは、本発明のポリマーの式（１）の一種または二種以上の構造単位の中和度は、５０．０〜１００モル％、特に好ましくは８０．０〜１００モル％、特に９０．０〜１００モル％、非常に好ましくは９５．０〜１００モル％である。
【００３０】
本発明のポリマーの式（２）の一種または二種以上の構造単位において、Ｒｂは好ましくは水素またはメチルである。
【００３１】
本発明の好ましい実施形態の一つでは、本発明のポリマーの式（２）の一種または二種以上の構造単位において、Ｒｂは水素またはメチル、好ましくは水素であり、Ｒｃは水素、炭素原子数１〜６の線状もしくは分枝状アルキル基、または炭素原子数２〜６の線状もしくは分枝状モノ−ヒドロキシアルキル基であり、そしてＲｄは、炭素原子数１〜６の線状もしくは分枝状アルキル基または炭素原子数２〜６の線状もしくは分枝状モノ−ヒドロキシアルキル基である。
【００３２】
本発明の特に好ましい実施形態の一つでは、本発明のポリマーの式（２）の一種または二種以上の構造単位において、Ｒｂは水素またはメチル、好ましくは水素であり、Ｒｃは、水素または炭素原子数１〜６、好ましくは炭素原子数１〜５の線状もしくは分枝状アルキル基であり、そしてＲｄは、炭素原子数１〜６、好ましくは炭素原子数１〜５の線状もしくは分枝状アルキル基、または炭素原子数２〜６、好ましくは炭素原子数２〜５の線状もしくは分枝状モノ−ヒドロキシアルキル基である。
【００３３】
本発明の特に好ましい実施形態の一つでは、式（２）の一種または二種以上の構造単位において、Ｒｂは水素またはメチル、好ましくは水素であり、Ｒｃは水素、メチル、エチル、ｎ−プロピルまたはｉｓｏ−プロピルであり、そしてＲｄは、メチル、エチル、ｎ−プロピル、ｉｓｏ−プロピルまたはヒドロキシエチルである。
【００３４】
非常に好ましくは、本発明のポリマーの式（２）の一種または二種以上の構造単位は、ジメチルアクリルアミド、ヒドロキシエチルアクリルアミド及びイソプロピルアクリルアミドからなる群から選択される一種または二種以上の化合物から誘導される。
【００３５】
本発明の非常に好ましい実施形態の一つでは、本発明のポリマーは、ジメチルアクリルアミドから誘導される式（２）の構造単位を含む。本発明のポリマーがこのような構造単位を含む場合には、これは、中でも好ましい本発明の実施形態の一つにおいて、１０．０〜２５モル％の量で本発明のポリマー中に含まれる。
【００３６】
本発明の更に別の非常に好ましい実施形態の一つでは、本発明のポリマーは、ヒドロキシエチルアクリルアミドから誘導される式（２）の構造単位を含む。本発明のポリマーがこのような構造単位を含む場合には、これは、中でも好ましい本発明の実施形態の一つでは、１０．０〜２５モル％の量で本発明のポリマー中に含まれる。
【００３７】
本発明の更に別の非常に好ましい実施形態の一つでは、本発明のポリマーは、イソプロピルアクリルアミドから誘導される式（２）の構造単位を含む。本発明のポリマーがこのような構造単位を含む場合には、これは、中でも好ましい本発明の実施形態の一つにおいて、１０．０〜２５モル％の量で本発明のポリマー中に含まれる。
【００３８】
本発明の更に別の非常に好ましい実施形態の一つでは、本発明のポリマーは、ジメチルアクリルアミド及びヒドロキシエチルアクリルアミドから誘導される式（２）の構造単位からなる混合物を含む。本発明のポリマーがこのような構造単位からなる混合物を含む場合には、この混合物は、中でも好ましい本発明の実施形態の一つにおいて、１０．０〜２５モル％の量で本発明のポリマー中に含まれる。
【００３９】
本発明のポリマーの式（５）の一種または二種以上の構造単位において、Ｒ１は、好ましくは水素、エチルまたはメチロールであり、特に好ましくは水素またはエチルである。
【００４０】
本発明のポリマーの式（５）の一種または二種以上の構造単位において、Ｒ２ａ、Ｒ２ｂ及びＲ２ｃは、それぞれ互いに独立して、好ましくは水素またはメチルであり、特に好ましくは水素である。
【００４１】
本発明のポリマーの式（５）の一種または二種以上の構造単位において、Ｘは好ましくは化学結合、メチレンまたはエチレンであり、特に好ましくは化学結合またはメチレンである。
【００４２】
式（５）の一種または二種以上の構造単位において、Ｙ１、Ｙ２及びＹ３は、それぞれ互いに独立して、好ましくはＣ（Ｏ）Ｏ、ＯＣ（Ｏ）、Ｃ（Ｏ）ＮＲ３またはＮＲ３Ｃ（Ｏ）を意味し、特に好ましくはＣ（Ｏ）ＯまたはＯＣ（Ｏ）を意味する。
【００４３】
Ｒ３は、好ましくは、水素またはＣ原子数１〜１０、好ましくは１〜６の線状もしくは分枝状アルキル基である。
【００４４】
本発明のポリマーの式（５）の一種または二種以上の構造単位において、Ｄ、Ｅ及びＦは、それぞれ互いに独立して、好ましくはメチレンオキシ、エチレンオキシまたはプロピレンオキシ、特に好ましくはエチレンオキシまたはプロピレンオキシである。
【００４５】
既に述べた通り、本発明のポリマーは、例えば、二種以上の式（５）の構造単位を含むことができる。これらの二種以上の式（５）の構造単位は、例えば、エトキシル化度及び／またはプロポキシル化度によって互いに異なることができる。
【００４６】
式（５）の構造単位−［−Ｄ−］ｏ−、−［−Ｅ−］ｐ−及び−［−Ｆ−］ｑ−において、変数ｏ、ｐ及びｑの一つまたは二つ以上が＞１の整数である場合、各々の構造単位は、唯一の単位または様々な単位から構成されることができる。例えば変数“ｏ”が３の場合には、構造単位−［−Ｄ−］ｏ−は例えば三つのエチレンオキシ単位から構成されることができる。しかし、これは、例えば二つのエチレンオキシ単位と一つのプロピレンオキシ単位から、またはその逆から構成されることができるか、あるいはこれは、例えば一つのメチレンオキシ単位、一つのエチレンオキシ単位及び一つのプロピレンオキシ単位から構成されることなどができる。構造単位−［−Ｄ−］ｏ−、−［−Ｅ−］ｐ−及び−［−Ｆ−］ｑ−内において全ての他の単位の組み合わせも可能であるが、但し、Ｄ、Ｅ及びＦ基の定義及び変数ｏ、ｐ及びｑの定義が守られることが条件である。構造単位−［−Ｄ−］ｏ−、−［−Ｅ−］ｐ−及び−［−Ｆ−］ｑ−内において、個々の単位の分布は、ランダム状、交互状、グラジエント状またはブロック状であることができ、そして好ましくはランダム状またはブロック状である。
【００４７】
本発明のポリマーの式（５）の一種または二種以上の構造単位において、個々の構造単位−［−Ｄ−］ｏ−、−［−Ｅ−］ｐ−及び−［−Ｆ−］ｑ−は上述の通り異なる単位から構成されることができる。この場合、対応する単位は、好ましくは、メチレンオキシ、エチレンオキシ及びプロピレンオキシからなる群から、特に好ましくはエチレンオキシ及びプロピレンオキシからなる群から、選択される。
【００４８】
本発明のポリマーの式（５）の一種または二種以上の構造単位においては、ｏ、ｐ及びｑは、それぞれ互いに独立して、好ましくは０〜３０の整数、特に好ましくは０〜１５の整数、就中好ましくは０〜１０の整数である。
【００４９】
本発明のポリマーの式（５）の一種または二種以上の構造単位では、ｏ＋ｐ＋ｑの合計は、好ましくは３〜９０、特に好ましくは３〜４５、就中好ましくは３〜３０、非常に好ましくは３〜２０である。
【００５０】
本発明の好ましい実施形態の一つにおいて、本発明のポリマーの式（５）の一種または二種以上の架橋性構造単位は、好ましくは、エトキシル化トリ−アクリル−もしくはエトキシル化トリ−メタクリル酸エステル、エトキシル化トリ−アクリル−もしくはエトキシル化トリ−メタクリル酸アミド、プロポキシル化トリ−アクリル−もしくはプロポキシル化トリ−メタクリル酸エステル、プロポキシル化トリ−アクリル−もしくはプロポキシル化トリ−メタクリル酸アミド、ランダム状もしくはブロック状に官能化されたエトキシル化／プロポキシル化トリ−アクリル−もしくはランダム状もしくはブロック状に官能化されたエトキシル化／プロポキシル化トリ−メタクリル酸エステル、エトキシル化／プロポキシル化トリ−アクリル−もしくはエトキシル化／プロポキシル化トリ−メタクリル酸アミド、または他のエトキシル化トリ−アクリル−もしくはエトキシル化トリ−メタクリル酸エステル、多官能性アルコールのエトキシル化トリ−アクリル−もしくはエトキシル化トリ−メタクリル酸アミド、または他のプロポキシル化トリ−アクリル−もしくはプロポキシル化トリ−メタクリル酸エステル、多官能性アルコールのプロポキシル化トリ−アクリル−もしくはプロポキシル化トリ−メタクリル酸アミド、または他のランダム状もしくはブロック状に官能化されたエトキシル化／プロポキシル化トリ−アクリル−もしくはエトキシル化／プロポキシル化トリ−メタクリル酸エステル、他の多官能性アルコールのエトキシル化／プロポキシル化トリ−アクリル−もしくはエトキシル化／プロポキシル化トリ−メタクリル酸アミド、
またはエトキシル化グリセリントリアクリレートもしくは−メタクリレート、またはプロポキシル化グリセリントリアクリレートもしくは−メタクリレートまたは他のランダム状もしくはブロック状に官能化されたエトキシル化／プロポキシル化グリセリントリアクリレートもしくは−メタクリレート、またはエトキシル化グリセリントリアクリルアミドもしくは−メタクリルアミド、またはプロポキシル化グリセリントリアクリルアミドもしくは−メタクリルアミドまたは他のランダム状もしくはブロック状に官能化されたエトキシル化／プロポキシル化グリセリントリアクリルアミド、または−メタクリルアミド、
またはエトキシル化トリメチロールプロパントリアクリレートもしくは−トリメタクリレートまたはプロポキシル化トリメチロールプロパントリアクリレートもしくは−トリメタクリレートまたは他のランダム状もしくはブロック状に官能化されたエトキシル化／プロポキシル化トリメチロールプロパントリアクリレートもしくは−トリメタクリレートまたはエトキシル化トリメチロールプロパントリアクリルアミドもしくは−トリメタクリルアミドまたはプロポキシル化トリメチロールプロパントリアクリルアミドもしくは−トリメタクリルアミドまたは他のランダム状もしくはブロック状に官能化されたエトキシル化／プロポキシル化トリメチロールプロパントリアクリルアミドもしくは−トリメタクリルアミド、
またはエトキシル化ペンタエリトリトールトリアクリレートもしくは−トリメタクリレートまたはプロポキシル化ペンタエリトリトールトリアクリレートもしくは−トリメタクリレートまたは他のランダム状もしくはブロック状に官能化されたエトキシル化／プロポキシル化ペンタエリトリトールトリアクリレートもしくは−トリメタクリレートまたはエトキシル化ペンタエリトリトールトリアクリルアミドもしくは−トリメタクリルアミドまたはプロポキシル化ペンタエリトリトールトリアクリルアミドもしくは−トリメタクリルアミドまたは他のランダム状もしくはブロック状に官能化されたエトキシル化／プロポキシル化ペンタエリトリトールトリアクリルアミドもしくは−トリメタクリルアミドに由来するものである。
【００５１】
本発明の特に好ましい実施形態の一つでは、式（５）の一種または二種以上の構造単位において、Ｒ１は水素またはエチルであり、Ｒ２ａ、Ｒ２ｂ及びＲ２ｃは、それぞれ互いに独立して、水素またはメチルであり、Ｘは、化学結合またはメチレンであり、Ｙ１、Ｙ２及びＹ３は、それぞれ互いに独立して、Ｃ（Ｏ）ＯまたはＯＣ（Ｏ）であり、Ｄ、Ｅ及びＦは、それぞれ互いに独立して、エチレンオキシまたはプロピレンオキシであり、ｏ、ｐ及びｑは、それぞれ互いに独立して、０〜３０の整数であり、そしてｏ＋ｐ＋ｑの合計は３〜２０である。
【００５２】
その中で好ましくは、本発明のポリマーは、グリセリンをベースとしてまたはトリメチロールプロパンをベースとして構成される。
【００５３】
本発明のポリマーの架橋剤として、すなわち式（５）の一種または二種以上の構造単位が由来する化合物として特に好ましいものは、
グリセリンプロポキシレートトリアクリレート（３／３ＰＯ／ＯＨ；ＰＯ＝プロピレンオキシ；合成の時は、グリセリンの３モルのＯＨ基につき３モルのプロピレンオキシドが使用された）（ＧＰＴＡ）、
グリセリンエトキシレートトリアクリレート（３／３ＥＯ／ＯＨ；ＥＯ＝エチレンオキシ）（ＧＥＴＡ）、
グリセリンプロポキシレートトリアクリレート（１５／３ＰＯ／ＯＨ）（ＧＰ１５ＴＡ）、
グリセリンエトキシレートトリアクリレート（１５／３ＥＯ／ＯＨ）（ＧＥ１５ＴＡ）、
グリセリンプロポキシエトキシレートトリアクリレート（１５／３ＰＯ−ＥＯ／ＯＨ）（ＧＰＥＴＡ）、
トリメチロールプロパンプロポキシトリアクリレート（３／３ＰＯ／ＯＨ）（ＴＭＰＴＡ−ＰＯ−３）、
トリメチロールプロパンエトキシトリアクリレート（３／３ＥＯ／ＯＨ）（ＴＭＰＴＡ−ＥＯ−３）、
トリメチロールプロパンエトキシトリアクリレート（６／３ＥＯ／ＯＨ）（ＴＭＰＴＡ−ＥＯ−６）、
トリメチロールプロパンエトキシトリアクリレート（１５／３ＥＯ／ＯＨ）（ＴＭＰＴＡ−ＥＯ−１５）、及び
トリメチロールプロパンプロポキシルエトキシトリアクリレート（１５／３ＰＯ−ＥＯ／ＯＨ）（ＴＭＰＴＡ−ＰＯ−ＥＯ−１５）、
である。
【００５４】
特に好ましいものは、
グリセリンプロポキシレートトリアクリレート（ＧＰＴＡ）、
グリセリンプロポキシレートトリアクリレート（１５／３ＰＯ／ＯＨ）（ＧＰ１５ＴＡ）、
トリメチロールプロパンプロポキシトリアクリレート（３／３ＰＯ／ＯＨ）（ＴＭＰＴＡ−ＰＯ−３）、
トリメチロールプロパンエトキシトリアクリレート（３／３ＥＯ／ＯＨ）（ＴＭＰＴＡ−ＥＯ−３）、及び
トリメチロールプロパンエトキシトリアクリレート（１５／３ＥＯ／ＯＨ）（ＴＭＰＴＡ−ＥＯ−１５）、
である。
【００５５】
非常に好ましいものは、
グリセリンプロポキシレートトリアクリレート（ＧＰＴＡ）、
トリメチロールプロパンプロポキシトリアクリレート（３／３ＰＯ／ＯＨ）（ＴＭＰＴＡ−ＰＯ−３）、及び
トリメチロールプロパンエトキシトリアクリレート（３／３ＥＯ／ＯＨ）（ＴＭＰＴＡ−ＥＯ−３）、
である。
【００５６】
これらの化合物の中でも、グリセリンプロポキシレートトリアクリレート（ＧＰＴＡ）が好ましい。
【００５７】
更に、本発明のポリマー中での式（５）の一種または二種以上の構造単位の好ましい量、特に上記に具体的に記載した架橋剤に由来する式（５）の構造単位の好ましい量は、０．２５〜５．０モル％、特に好ましくは０．５〜２．０モル％である。
【００５８】
本発明の更に別の好ましい実施形態の一つでは、本発明のポリマーは、
ａ）式（１）の一種または二種以上の繰り返し構造単位を４５．０〜９６．９モル％、好ましくは５７．１〜８８．８モル％、特に好ましくは７２．５〜８２．２モル％、
ｂ）式（２）の一種または二種以上の繰り返し構造単位を３．０〜５０．０モル％、好ましくは１１．０〜３９．９モル％、特に好ましくは１７．５〜２５．０モル％、及び
ｄ）式（５）の一種または二種以上の繰り返し架橋性構造単位を０．１〜５．０モル％、好ましくは０．２〜３．０モル％、特に好ましくは０．３〜２．５モル％、
含む。
【００５９】
本発明の特に好ましい実施形態の一つでは、本発明のポリマーの繰り返し構造単位は、式（１）の一種または二種以上の繰り返し構造単位、式（２）の一種または二種以上の繰り返し構造単位、及び式（５）の一種または二種以上の繰り返し構造単位からなる。本発明の特に好ましい実施形態の一つでは、本発明のポリマー中での式（１）、（２）及び（５）の構造単位の量は、上述した通りである。
【００６０】
本発明の更に別の好ましい実施形態の一つでは、本発明のポリマーは、次式（３）の一種または二種以上の互いに独立した繰り返し構造単位を０．０１〜３０．０モル％、好ましくは０．１〜２０．０モル％、特に好ましくは０．５〜１５．０モル％含む。
【００６１】
【化４】
0005976687.tif 000005
式中、
Ｒｘは、水素、メチルまたはエチルを意味し、そして
ｍは、２〜９の整数を意味する。
【００６２】
式（３）の一種または二種以上の構造単位において、Ｒｘは、好ましくは水素またはメチルであり、特に好ましくは水素である。
【００６３】
式（３）の一種または二種以上の構造単位において、ｍは好ましくは２〜９の整数、特に好ましくは２〜６の整数であり、就中好ましくはｍは３または４である。
【００６４】
本発明の特に好ましい実施形態の一つでは、本発明のポリマーは、Ｎ−ビニルピロリドンから誘導された式（３）の構造単位を含む。本発明のポリマーがこのような構造単位を含む場合には、それは、中でも好ましい本発明の実施形態の一つでは、０．５〜５．０モル％の量で、その中でも特に好ましい本発明の実施形態の一つでは、０．７５〜２．０モル％の量で本発明のポリマー中に含まれる。
【００６５】
本発明の更に別の好ましい実施形態の一つでは、本発明のポリマーは、次式（４）の一種または二種以上の互いに独立した繰り返し構造単位を０．０１〜３０．０モル％、好ましくは０．１〜２０．０モル％、特に好ましくは０．５〜１５．０モル％含む。
【００６６】
【化５】
0005976687.tif 000006
式中、
Ｒｙは、水素、メチルまたはエチルを意味し、そして
Ｘ＋は、対イオンを表す。
【００６７】
式（４）の一種または二種以上の構造単位において、Ｒｙは好ましくは水素またはメチルであり、特に好ましくはメチルである。
【００６８】
本発明の特に好ましい実施形態の一つでは、本発明のポリマーは、メタクリル酸またはそれの塩（Ｒｙ＝メチル）から誘導された式（４）の一種または二種以上の構造単位を含む。本発明のポリマーがこのような構造単位を含む場合には、これは、中でも特に好ましい本発明の実施形態の一つでは、０．５〜１５．０モル％の量で、その中でも好ましい本発明の実施形態の一つでは、１．７５〜１３．０モル％の量で本発明のポリマー中に含まれる。
【００６９】
一つの本発明のポリマーにおいて、それぞれ異なる式（３）の構造単位及び／または式（４）の構造単位が含まれることができる。
【００７０】
本発明の更に別の好ましい実施形態の一つでは、本発明のポリマーは、式（３）の一種または二種以上の構造単位及び式（４）の一種または二種以上の構造単位を含む。
【００７１】
本発明の更に別の特に好ましい実施形態の一つでは、本発明のポリマーは、Ｎ−ビニルピロリドンから誘導された式（３）の構造単位及びメタクリル酸もしくはそれの塩から誘導された式（４）の構造単位からなる混合物を含む。本発明のポリマーがこのような構造単位からなる混合物を含む場合には、この混合物は、中でも好ましい本発明の実施形態の一つでは、１．５〜７．５モル％の量で、その中でも特に好ましい本発明の実施形態の一つでは、２．５〜６．５モル％の量で本発明のポリマー中に含まれる。
【００７２】
既に述べた通り、本発明のポリマー中には、例えば、式（４）の異なる構造単位が含まれていることができる。本発明のポリマーの一つは、例えば、異なる対イオンＸ＋によって互いに相違する式（４）の二種以上の構造単位を含むことができる。
【００７３】
好ましくは、Ｘ＋は、Ｈ＋、ＮＨ４＋、有機アンモニウムイオン［ＨＮＲ５ａＲ６ａＲ７ａ］＋（式中、Ｒ５ａ、Ｒ６ａ及びＲ７ａは、互いに独立して、水素、炭素原子数１〜２２の線状もしくは分枝状アルキル基、炭素原子数２〜２２の線状もしくは分枝状でモノ不飽和もしくはポリ不飽和のアルケニル基、Ｃ６−Ｃ２２−アルキルアミドプロピル基、炭素原子数２〜１０の線状モノ−ヒドロキシアルキル基または炭素原子数３〜１０の線状もしくは分枝状ジ−ヒドロキシアルキル基であることができ、この際、Ｒ５ａ、Ｒ６ａ及びＲ７ａ基のうちの少なくとも一つは水素ではない）、アルカリ金属＋（アルカリ金属＋の中では、Ｌｉ＋、Ｎａ＋及びＫ＋が好ましい）、１／２アルカリ土類金属＋＋（１／２アルカリ土類金属＋＋の中では、１／２Ｃａ＋＋及び１／２Ｍｇ＋＋が好ましい）、１／２Ｚｎ＋＋または１／３Ａｌ＋＋＋、あるいはこれらのイオンの混合物を表す。
【００７４】
本発明のポリマーの一種または二種以上の式（４）の構造単位において、対イオンＸ＋は、特に好ましくは、Ｈ＋、ＮＨ４＋、アルカリ金属＋（この際、アルカリ金属＋の中ではＮａ＋が好ましい）、１／２アルカリ土類金属＋＋（この際、１／２アルカリ土類金属＋＋の中では、１／２Ｃａ＋＋及び１／２Ｍｇ＋＋が好ましい）、及びこれらのイオンの混合物からなる群から選択される。特に好ましくは、対イオンＸ＋は、Ｈ＋、ＮＨ４＋及びＮａ＋からなる群から選択され、就中好ましくは、Ｘ＋は、Ｈ＋及びＮＨ４＋からなる群から選択される。
【００７５】
本発明の更に別の特に好ましい実施形態の一つでは、本発明のポリマーは、式（４）の一部の構造単位において、対イオンＸ＋の意味がＨ＋であり、そして式（４）の他の構造単位において、対イオンＸ＋の意味がＨ＋とは異なり、そしてこれらの他の式（４）の構造単位においてＸ＋が、好ましくはＮＨ４＋及びＮａ＋からなる群から選択され、特に好ましくはＮＨ４＋である、式（４）の二種以上の構造単位を含む。
【００７６】
本発明の特に好ましい実施形態の一つでは、本発明のポリマーの式（１）の一種または二種以上の構造単位において対イオンＱ＋は、Ｈ＋、ＮＨ４＋、アルカリ金属＋（この際、アルカリ金属＋の中では、Ｎａ＋が好ましい）、１／２アルカリ土類金属＋＋（この際、１／２アルカリ土類金属＋＋の中では１／２Ｃａ＋＋及び１／２Ｍｇ＋＋が好ましい）、及びこれらのイオンからなる混合物からなる群から選択され、中でも好ましくは、Ｑ＋は、Ｈ＋、ＮＨ４＋及びＮａ＋からなる群から選択され、その中でも好ましくは、Ｑ＋は、Ｈ＋及びＮＨ４＋からなる群から選択され、そして本発明のこの特に好ましい実施形態において、本発明のポリマーの式（４）の一種または二種以上の構造単位において対イオンＸ＋は、Ｈ＋、ＮＨ４＋、アルカリ金属＋（この際、アルカリ金属＋の中では、Ｎａ＋が好ましい）、１／２アルカリ土類金属＋＋（この際、１／２アルカリ土類金属＋＋の中では、１／２Ｃａ＋＋及び１／２Ｍｇ＋＋が好ましい）、及びこれらのイオンからなる混合物からなる群から選択され、中でも好ましくはＸ＋は、Ｈ＋、ＮＨ４＋及びＮａ＋からなる群から選択され、その中でも好ましくはＸ＋は、Ｈ＋及びＮＨ４＋からなる群から選択される。
【００７７】
本発明の更に別の特に好ましい実施形態の一つでは、式（４）の一種または二種以上の構造単位においてＸ＋はＨ＋である。これは、式（１）の一種または二種以上の構造単位においてＱ＋がＨ＋とは異なる対イオンであるかまたは少なくとも部分的にＨ＋とは異なる対イオンである場合にもあてはまることができる。
【００７８】
本発明の更に別の好ましい実施形態の一つでは、本発明のポリマーは、
ａ）式（１）の一種または二種以上の繰り返し構造単位を２５．０〜９６．９モル％、好ましくは４２．０〜８８．８モル％、特に好ましくは６４．５〜８２．２モル％、
ｂ）式（２）の一種または二種以上の繰り返し構造単位を２．５〜５０．０モル％、好ましくは１０．０〜３９．９モル％、特に好ましくは１５．０〜２５．０モル％、
ｃ）式（３）または式（４）の一種または二種以上の繰り返し構造単位あるいは式（３）及び式（４）の一種または二種以上の繰り返し構造単位からなる混合物を０．５〜２０．０モル％、好ましくは１．０〜１５．１モル％、特に好ましくは２．０〜８．０モル％、及び
ｄ）式（５）の一種または二種以上の繰り返し架橋性構造単位を０．１〜５．０モル％、好ましくは０．２〜３．０モル％、特に好ましくは０．３〜２．５モル％、
含む。
【００７９】
本発明の特に好ましい実施形態の一つでは、本発明のポリマーの繰り返し構造単位は、式（１）の一種または二種以上の繰り返し構造単位、式（２）の一種または二種以上の繰り返し構造単位、式（３）及び式（４）の構造単位からなる群から選択される一種または二種以上の繰り返し構造単位、及び式（５）の一種または二種以上の繰り返し構造単位からなる。その時、本発明の特に好ましい実施形態の一つでは、本発明のポリマー中での、式（１）、（２）、（５）の構造単位の量、及び式（３）及び（４）から選択される構造単位の量は上述した通りである。
【００８０】
本発明のポリマーに式（３）及び（４）の構造単位が含まれる場合には、式（３）の一種または二種以上の構造単位と、式（４）の一種または二種以上の構造単位とのモル比は、中でも好ましい本発明の実施形態の一つでは、１：９９〜９９：１、中でも特に好ましい本発明の実施形態の一つでは、１：１〜１：２０、そのうち就中好ましい本発明の実施形態の一つでは、１：２〜１：１０である。
【００８１】
ポリマー中に含まれる繰り返し構造単位は、それらの製造に使用された重合性モノマーに由来するものである。本発明のポリマー中での異なる繰り返し構造単位の分布は、ランダム状、ブロック状、交互状またはグラジエント状であることができ、好ましくはランダム状またはグラジエント状である。
【００８２】
本発明のポリマー中での繰り返し構造単位の質量割合は、本発明のポリマー中に化学的に結合した全ての構造単位の総質量を基準として、好ましくは８５重量％以上、特に好ましくは９０重量％以上、就中好ましくは９５重量％以上、非常に好ましくは９７重量％以上である。本発明のポリマー中に含まれ得るが、それらの製造に使用した重合性モノマーに由来しない化学的に結合した構造単位は、特に、本発明のポリマーの製造に使用した開始剤を由来とする構造単位であることができる。
【００８３】
本発明の更に別の好ましい実施形態の一つでは、本発明のポリマーは、次式（１０）の構造単位を含まない。
【００８４】
【化６】
0005976687.tif 000007
式中、
Ｒ１ａは、水素、メチルまたはエチルを意味し、
Ｚ＋は、対イオンを表し、好ましくはＨ＋、ＮＨ４＋、有機アンモニウムイオン［ＨＮＲ５ｂＲ６ｂＲ７ｂ］＋（式中、Ｒ５ｂ、Ｒ６ｂ及びＲ７ｂは、互いに独立して、水素、炭素原子数１〜２２の線状もしくは分枝状アルキル基、炭素原子数２〜２２の線状もしくは分枝状でモノ不飽和もしくはポリ不飽和のアルケニル基、Ｃ６−Ｃ２２−アルキルアミドプロピル基、炭素原子数２〜１０の線状モノ−ヒドロキシアルキル基または炭素原子数３〜１０の線状もしくは分枝状ジ−ヒドロキシアルキル基であることができ、この際、Ｒ５ｂ、Ｒ６ｂ及びＲ７ｂ基のうちの少なくとも一つは水素ではない）、Ｌｉ＋、Ｎａ＋、Ｋ＋、１／２Ｃａ＋＋、１／２Ｍｇ＋＋、１／２Ｚｎ＋＋または１／３Ａｌ＋＋＋あるいはこれらのイオンからなる混合物を表し、
Ｂは、炭素原子数１〜６の線状もしくは分枝状アルキレン基であり、そして
ｎは、１〜１０の整数である。
【００８５】
本発明の更に別の好ましい実施形態の一つでは、本発明のポリマーは、カチオン性構造単位を含まない。
【００８６】
本発明のポリマーは、１０３〜１０９ｇ／ｍｏｌ、特に好ましくは１０４〜１０７ｇ／ｍｏｌ、就中好ましくは１０５〜５・１０６ｇ／ｍｏｌの分子量を有する。
【００８７】
本発明のポリマーの製造は、プロトン性溶剤、好ましはｔｅｒｔ．−ブタノール中でラジカル重合によって行われる。この際、然るべきモノマーを、例えばプロトン性溶剤中に溶解または分散し、そして重合をそれ自体既知の方法、例えばラジカル形成化合物の添加によって開始する。スターターまたは開始剤としては、原則的に、この目的に既知で適した全ての物質を慣用の量で使用することができる。しかし、本発明の好ましい実施形態の一つでは、ジラウロイルパーオキシドまたはジメチル２，２’−アゾビス（２−メチルプロピオネート）（Ｖ６０１）が開始剤として使用される。本発明のポリマーを製造するための開始剤の量は、重合に使用されるモノマー及び開始剤の総量を基準にして、好ましくは１０重量％以下、特に好ましくは５重量％以下、就中好ましくは３重量％以下である。この際、例えば、仕込んだモノマーを“直接”重合することができる。しかし、例えば使用したモノマーの酸基を重合の前に塩基と反応させることによって、これらを重合の前に中和することもできる。しかし、重合前のモノマーの中和の代わりに、ポリマーを、重合を行った後に、塩基で中和することもできる。
【００８８】
それ故、本発明の更に別の対象は、本発明のポリマーを製造する方法であって、式（１）、式（２）及び式（５）の構造単位が誘導されるモノマー、場合によっては及び更に別のモノマー、例えば式（３）及び（４）から選択される一種または二種以上の構造単位が誘導される更に別のモノマーを、プロトン性溶剤、好ましくはｔｅｒｔ．−ブタノール中で、ラジカル重合し、場合によっては及び、重合の前にモノマーを、または重合の後にポリマーを、塩基、例えばアンモニアまたは有機アミンまたはアルカリ金属＋含有塩基、好ましくはＬｉ＋−、Ｎａ＋−もしくはＫ＋−含有塩基、アルカリ土類金属＋＋含有塩基、好ましくはＣａ＋＋−もしくはＭｇ＋＋−含有塩基、またはＺｎ＋＋−もしくはＡｌ＋＋＋−含有塩基で中和する、方法である。中和が、アルカリ金属＋、アルカリ土類金属＋＋、Ｚｎ＋＋またはＡｌ＋＋＋含有塩基を用いて行われる場合には、これは、好ましい実施形態の一つでは、対応する水酸化物または炭酸塩を用いて、特に好ましくは水酸化物を用いて行われる。
【００８９】
ラジカル重合は、当業者には一般的に知られており、そして定番の文献、例えば“Ｍａｋｒｏｍｏｌｅｋｕｌａｒｅ  Ｃｈｅｍｉｅ：  Ｅｉｎｅ  Ｅｉｎｆｕｅｈｒｕｎｇ”，Ｂｅｒｎｄ  Ｔｉｅｋｅ，Ｗｉｌｅｙ−ＶＣＨ，２．完全改訂及び拡張版（９．Ｓｅｐｔｅｍｂｅｒ  ２００５）  ＩＳＢＮ−１０：  ３５２７３１３７９６（非特許文献１）に詳しく記載されている。
【００９０】
本発明のポリマーは、皮膚に対する良好な低刺激性（Ｈａｕｔｍｉｌｄｅ）及び心地の良いリッチな皮膚感を特色とする。これらは、特に塩含有組成物、例えば水を含む塩含有組成物中での、有利な増粘性、及び高い電解質安定性をも有する。更に、本発明のポリマーは酸安定性である。本発明のポリマーは酸性ｐＨ下でも増粘するため、増粘された化粧料、皮膚科学的製品または医薬品を、有機酸、例えば安息香酸、ソルビン酸、パラメトキシ安息香酸を用いても有利に防腐することができる。というのも、必要な低いｐＨ値においても十分な増粘性能を利用できるからである。これらを用いて、透明な溶液を得ることができる。
【００９１】
本発明のポリマーは、化粧料組成物、皮膚科学的組成物または医薬組成物の製造に有利に適している。
【００９２】
それ故、本発明の更に別の対象は、化粧料組成物、皮膚科学的組成物または医薬組成物の製造のための、一種または二種以上の本発明のポリマーの使用、並びに一種または二種以上の本発明のポリマーを含む化粧料組成物、皮膚科学的組成物または医薬組成物である。
【００９３】
本発明の化粧料組成物、皮膚科学的組成物または医薬組成物は、本発明の一種または二種以上のポリマーを、それぞれ本発明の組成物の総重量を基準にして、好ましくは０．０１〜１０．０重量％の量で、特に好ましくは０．１〜５．０重量％の量で、就中好ましくは０．２５〜２．０重量％の量で含む。
【００９４】
本発明の好ましい実施形態の一つでは、本発明の化粧料組成物、皮膚科学的組成物または医薬組成物は、好ましくは１００〜２００，０００ｍＰａ・ｓの範囲、特に好ましくは１，０００〜１００，０００ｍＰａ・ｓの範囲、就中好ましくは２，０００〜５０，０００ｍＰａ・ｓの範囲、非常に好ましくは５，０００〜３０，０００の範囲の粘度を有する（２５℃、ブルックフィールドＲＶＴ、Ｔ−Ｃスピンドル、１分間あたり２０回転）。
【００９５】
本発明の更に別の好ましい実施形態の一つでは、本発明の組成物は、流体、ジェル、フォーム、スプレー、ローションまたはクリームの形で存在する。
【００９６】
本発明の組成物は、好ましくは水系または水−アルコール系に構成され、そしてエマルション、好ましくは水中油型エマルションの形で存在する。
【００９７】
本発明の更に別の特に好ましい実施形態の一つでは、本発明の組成物は、水−アルコール系組成物として存在し、そして好ましくは、組成物の総重量を基準にして、
ａ）９０．０重量％まで、好ましくは１９．４９〜８０．０重量％、特に好ましくは２３．９〜７０．０重量％、就中好ましくは２８．５〜６０．０重量％の水、
ｂ）９０．０重量％まで、好ましくは１９．４９〜８０．０重量％、特に好ましくは２８．９〜７５．０重量％、就中好ましくは３８．５〜７０．０重量％の一種または二種以上のアルコール、好ましくはエタノールまたはイソプロパノール、
ｃ）１０．０重量％まで、好ましくは０．０１〜１０．０重量％、特に好ましくは０．１〜５．０重量％、就中好ましくは０．５〜２．０重量％の一種または二種以上の本発明のポリマー、及び
ｄ）２０．０重量％まで、好ましくは０．５〜１０．０重量％、特に好ましくは１．０〜５．０重量％、就中好ましくは１．０〜３．０重量％の一種またはそれ以上の更に別の添加剤、
を含む。
【００９８】
好ましくは、上述の水−アルコール系組成物中の一種または二種以上の更に別の添加剤は、界面活性剤及び抗菌性有効物質からなる群から選択される。本発明の好ましい実施形態の一つでは、例えば上記の場合には、本発明の組成物は消毒用ジェルとして存在する。
【００９９】
本発明の更に別の特に好ましい実施形態の一つでは、本発明の組成物は、水中油型エマルションとして存在し、そして好ましくは、組成物の総重量を基準にして、
ａ）９５．０重量％まで、好ましくは４９．４９〜９５．０重量％、特に好ましくは６８．９〜９０．０重量％、就中好ましくは７０．０〜８５．０重量％の水性相または水−アルコール性相、
ｂ）７０．０重量％まで、好ましくは４．４９〜５０．０重量％、特に好ましくは８．９〜３０．０重量％、就中好ましくは１３．５〜２５．０重量％の油性相、
ｃ）１０．０重量％まで、好ましくは０．０１〜１０．０重量％、特に好ましくは０．１〜５．０重量％、就中好ましくは０．５〜２．０重量％の一種または二種以上の本発明のポリマー、及び
ｄ）２０．０重量％まで、好ましくは０．５〜１０重量％、特に好ましくは１．０〜５．０重量％、就中好ましくは１．０〜３．０重量％の一種または二種以上の更に別の添加剤、
を含む。
【０１００】
好ましくは、上記の水中油型エマルション中の一種または二種以上の添加剤は、乳化剤、共乳化剤、可溶化剤、有効物質、サンスクリーンフィルター、顔料及び抗菌有効物質からなる群から選択される。
【０１０１】
本発明の水−アルコール系またはアルコール系の組成物には、全ての一価もしくは多価アルコールが考慮される。好ましくは、炭素原子数１〜４のアルコール、例えばエタノール、プロパノール、イソプロパノール、ｎ−ブタノール、ｉ−ブタノール、ｔｅｒｔ．−ブタノールまたはグリセリン並びにアルキレングリコール、特にプロピレングリコール、ブチレングリコールもしくはヘキシレングリコール、及び上記のアルコールの混合物が使用される。更に別の好ましいアルコールは、２０００未満の相対分子量を有するポリエチレングリコールである。特に好ましくは、エタノールまたはイソプロパノールを使用する。
【０１０２】
本発明の組成物は、一種または二種以上の油状物を含むことができる。
【０１０３】
前記油状物は、有利には、トリグリセリド、天然もしくは合成脂肪体、好ましくは脂肪酸と低Ｃ数のアルコールとのエステル、例えばメタノール、イソプロパノール、プロピレングリコールもしくはグリセリンとのエステル、または脂肪アルコールと低Ｃ数のアルカン酸もしくは脂肪酸とのエステルからなる群から、あるいはアルキルベンゾエート、並びに天然もしくは合成炭化水素油からなる群から選択することができる。
【０１０４】
線状もしくは分枝状で飽和もしくは不飽和で場合によりヒドロキシル化されたＣ８−Ｃ３０−脂肪酸のトリグリセリド、特に植物油、例えばヒマワリ油、マイズ油、ダイズ油、ライス油、ホホバ油、ババス油、カボチャ油、グレープシード油、ゴマ油、クルミ油、アプリコット油、オレンジ油、コムギ麦芽油、ピーチカーネル油、マカダミア油、アボガド油、スウィートアーモンド油、ハナタケツケバナ油、ヒマシ油、オリーブ油、ピーナッツ油、ナタネ油及びココナッツ油、並びに合成トリグリセライド油、例えば商業製品のＭｙｒｉｔｏｌ（登録商標）３１８が考慮される。硬化トリグリセリドも本発明において好ましい。動物起源の油、例えばタロー、パーヒドロスクワレン、ラノリンも使用することができる。
【０１０５】
好ましい油体の更に別のクラスは、線状もしくは分枝状のＣ８−２２−アルカノールの安息香酸エステル、例えば商業製品のＦｉｎｓｏｌｖ（登録商標）ＳＢ（イソステアリルベンゾエート）、Ｆｉｎｓｏｌｖ（登録商標）ＴＮ（Ｃ１２−Ｃ１５−アルキルベンゾエート）及びＦｉｎｓｏｌｖ（登録商標）ＥＢ（エチルヘキシルベンゾエート）である。
【０１０６】
好ましい油体の更に別のクラスは、合計で炭素原子数１２〜３６、特に１２〜２４のジアルキルエーテル、例えばジ−ｎ−オクチルエーテル（Ｃｅｔｉｏｌ（登録商標）ＯＥ）、ジ−ｎ−ノニルエーテル、ジ−ｎ−デシルエーテル、ジ−ｎ−ウンデシルエーテル、ジ−ｎ−ドデシルエーテル、ｎ−ヘキシル−ｎ−オクチルエーテル、ｎ−オクチル−ｎ−デシルエーテル、ｎ−デシル−ｎ−ウンデシルエーテル、ｎ−ウンデシル−ｎ−ドデシルエーテル及びｎ−ヘキシル−ｎ−ウンデシルエーテル、ジ−３−エチルデシルエーテル、ｔｅｒｔ．−ブチル−ｎ−オクチルエーテル、ｉｓｏ−ペンチル−ｎ−オクチルエーテル及び２−メチル−ペンチル−ｎ−オクチルエーテル並びにジ−ｔｅｒｔ．−ブチルエーテル及びジ−ｉｓｏ−ペンチルエーテルである。
【０１０７】
同様に、炭素原子数６〜３０の分枝状飽和もしくは不飽和脂肪アルコール、例えばイソステアリルアルコール、並びにゲルベアルコールも考慮される。
【０１０８】
好ましい油体の更に別のクラスはヒドロキシカルボン酸アルキルエステルである。好ましいヒドロキシカルボン酸アルキルエステルは、グリコール酸、乳酸、リンゴ酸、酒石酸及びクエン酸の完全エステル（Ｖｏｌｌｅｓｔｅｒ）である。更に別の原則的に好適なヒドロキシカルボン酸のエステルは、β−ヒドロキシプロピオン酸、タルトロン酸、Ｄ−グルコン酸、糖酸、粘液酸またはグルクロン酸のエステルである。上記エステルのアルコール成分としては、炭素原子数８〜２２の線状もしくは分枝状第一級脂肪族アルコールが適している。この際、Ｃ１２−Ｃ１５−脂肪アルコールのエステルが特に好ましい。このタイプのエステルは、ＥｎｉＣｈｅｍ，Ａｕｇｕｓｔａ  Ｉｎｄｕｓｔｒｉａｌｅ社の商品名Ｃｏｓｍａｃｏｌ（登録商標）で商業的に入手できる。
【０１０９】
好ましい油体の更に別のクラスは、線状もしくは分枝状Ｃ２−Ｃ１０−アルカノールのジカルボン酸エステル、例えばジ−ｎ−ブチルアジペート（Ｃｅｔｉｏｌ（登録商標）Ｂ）、ジ−（２−エチルヘキシル）−アジペート及びジ−（２−エチルヘキシル）−スクシネート並びにジオールエステル、例えばエチレングリコール−ジオレエート、エチレングリコール−ジ−イソトリデカノエート、プロピレングリコール−ジ−（２−エチルヘキサノエート）、プロピレングリコール−ジ−イソステアレート、プロピレングリコール−ジ−ペラルゴネート、ブタンジオール−ジ−イソステアレート及びネオペンチルグリコールジカプリレート並びにジ−イソトリデシルアセラートである。
【０１１０】
同様に好ましい油体は、対称性、非対称性または環状の炭酸と脂肪アルコールとのエステル、グリセリンカーボネートまたはジカプリリルカーボネート（Ｃｅｔｉｏｌ（登録商標）ＣＣ）である。
【０１１１】
好ましい油体の更に別のクラスは、不飽和Ｃ１２−Ｃ２２−脂肪酸のダイマー（ダイマー脂肪酸）と一価の線状、分枝状もしくは環状Ｃ２−Ｃ１８−アルカノールとのまたは多価の線状もしくは分枝状Ｃ２−Ｃ６−アルカノールとのエステルである。
【０１１２】
好ましい油体の更に別のクラスは、炭化水素油、例えば線状もしくは分枝状で飽和もしくは不飽和のＣ７−Ｃ４０−炭素鎖を有する炭化水素油、例えばワセリン、ドデカン、イソドデカン、コレステロール、ラノリン、合成炭化水素、例えばポリオレフィン、特にポリイソブテン、水素化ポリイソブテン、ポリデカン、並びにヘキサデカン、イソヘキサデカン、パラフィン油、イソパラフィン油、例えばＰｅｒｍｅｔｈｙｌ（登録商標）−シリーズの商業製品、スクワラン、スクワレン、及び脂肪環式炭化水素、例えば商業製品の１，３−ジ−（２−エチル−ヘキシル）−シクロヘキサン（Ｃｅｔｉｏｌ（登録商標）Ｓ）、及びオゾケライト、セレシンである。
【０１１３】
同様に、シリコーン油またはシリコーンワックス、好ましくはジメチルポリシロキサン及びシクロメチコーン、ポリジアルキルシロキサンＲ３ＳｉＯ（Ｒ２ＳｉＯ）ｘＳｉＲ３（式中、Ｒはメチルまたはエチルを表し、特に好ましくはメチルを表し、そしてｘは、２〜５００の数を表す）、例えばＶＩＣＡＳＩＬ（Ｇｅｎｅｒａｌ  Ｅｌｅｃｔｒｉｃ  Ｃｏｍｐａｎｙ）、ＤＯＷ  ＣＯＲＮＩＮＧ  ２００、ＤＯＷ  ＣＯＲＮＩＮＧ  ２２５、ＤＯＷ  ＣＯＲＮＩＮＧ  ２００（Ｄｏｗ  Ｃｏｒｎｉｎｇ  Ｃｏｒｐｏｒａｔｉｏｎ）の商品名で入手できるジメチコーン、並びにＳｉｌＣａｒｅ（登録商標）Ｓｉｌｉｃｏｎｅ  ４１Ｍ６５、ＳｉｌＣａｒｅ（登録商標）Ｓｉｌｉｃｏｎｅ  ４１Ｍ７０、ＳｉｌＣａｒｅ（登録商標）Ｓｉｌｉｃｏｎｅ  ４１Ｍ８０（Ｃｌａｒｉａｎｔ）の名称で入手できるジメチコーン、ステアリルジメチルポリシロキサン、Ｃ２０−Ｃ２４−アルキル−ジメチルポリシロキサン、Ｃ２４−Ｃ２８−アルキル−ジメチルポリシロキサン、並びにＳｉｌＣａｒｅ（登録商標）Ｓｉｌｉｃｏｎｅ  ４１Ｍ４０、ＳｉｌＣａｒｅ（登録商標）Ｓｉｌｉｃｏｎｅ  ４１Ｍ５０（Ｃｌａｒｉａｎｔ）の名称で入手できるメチコーン、更にトリメチルシロキシシリケート［（ＣＨ２）３ＳｉＯ）１／２］ｘ［ＳｉＯ２］ｙ（式中、ｘは１〜５００の数を表し、そしてｙは１〜５００の数を表す）、ジメチコノールＲ３ＳｉＯ［Ｒ２ＳｉＯ］ｘＳｉＲ２ＯＨ及びＨＯＲ２ＳｉＯ［Ｒ２ＳｉＯ］ｘＳｉＲ２ＯＨ（式中、Ｒはメチルまたはエチルを表し、そしてｘは５００までの数を表す）、ポリアルキルアリールシロキサン、例えばＳＦ  １０７５  ＭＥＴＨＹＬＰＨＥＮＹＬ  ＦＬＵＩＤ（Ｇｅｎｅｒａｌ  Ｅｌｅｃｔｒｉｃ  Ｃｏｍｐａｎｙ）及び５５６  ＣＯＳＭＥＴＩＣ  ＧＲＡＤＥ  ＰＨＥＮＹＬ  ＴＲＩＭＥＴＨＩＣＯＮＥ  ＦＬＵＩＤ（Ｄｏｗ  Ｃｏｒｎｉｎｇ  Ｃｏｒｐｏｒａｔｉｏｎ）の商品表示で入手できるポリメチルフェニルシロキサン、ポリジアリールシロキサン、シリコーン樹脂、環状シリコーン、及びアミノ−、脂肪酸−、アルコール−、ポリエーテル−、エポキシ−、フルオロ−及び／またはアルキル変性シリコーン化合物、並びにポリエーテルシロキサンコポリマーが考慮される。
【０１１４】
本発明の組成物は、他の助剤及び添加剤として、例えばワックス、乳化剤、共乳化剤、可溶化剤、電解質、ヒドロキシ酸、安定化剤、カチオン性ポリマー、成膜剤、更に別の増粘剤、ゲル化剤、過脂肪剤、再脂肪剤、抗菌有効物質、生体活性物質、収斂剤、消臭物質、サンスクリーンフィルター、酸化防止剤、保湿剤、溶剤、着色料、真珠光沢剤、フレグランス、濁り剤及び／またはシリコーンを含むことができる。
【０１１５】
本発明の組成物は、ワックス、例えばパラフィンワックス、マイクロワックス及びオゾケライト、蜜蝋及びそれの部分画分並びに蜜蝋誘導体；ポリエチレンホモポリマーまたはα−オレフィンのコポリマーの群からのワックス；並びに天然ワックス、例えばライスワックス、キャンデリラワックス、カルナウバワックス、木蝋またはセラック蝋を含むことができる。
【０１１６】
乳化剤、共乳化剤及び可溶化剤としては、ノニオン性、アニオン性、カチオン性または両性表面活性化合物を使用することができる。
【０１１７】
非イオノゲン性表面活性化合物としては、好ましくは、Ｃ原子数８〜２２の線状脂肪酸、Ｃ原子数１２〜２２の脂肪酸、アルキル基中のＣ原子数が８〜１５のアルキルフェノール、及びソルビタンもしくはソルビトールエステルの０〜３０モルエチレンオキシド及び／または０〜５モルプロピレンオキシド付加生成物；グリセリンの０〜３０モルエチレンオキシド付加生成物の（Ｃ１２−Ｃ１８）−脂肪酸モノ−及びジエステル；炭素原子数６〜２２の飽和もしくは不飽和脂肪酸、場合により及びそれのエチレンオキシド付加生成物のグリセリンモノ−及びジエステル並びにソルビタンモノ−及びジエステル；ヒマシ油及び／または硬化ヒマシ油の１５〜６０モルエチレンオキシド付加生成物；ポリオール−及び特にポリグリセリンエステル、例えばポリグリセリンポリリシノレエート及びポリグリセリンポリ−１２−ヒドロキシステアレートが考慮される。同様に、エトキシル化脂肪アミン、脂肪酸アミド、脂肪酸アルカノールアミド、及びこれらの物質クラスの二つ以上からの化合物の混合物も好適である。
【０１１８】
イオノゲン性共乳化剤としては、例えばアニオン性乳化剤、例えばモノ−、ジ−もしくはトリ−リン酸エステル、石けん（例えばステアリン酸ナトリウム）、脂肪アルコールスルフェート、並びにカチオン性乳化剤、例えばモノ−、ジ−もしくはトリ−アルキルクワット及びこれらのポリマー性誘導体が適している。
【０１１９】
両性乳化剤としては、好ましくは、アルキルアミノアルキルカルボン酸、ベタイン類、スルホベタイン類及びイミダゾリン誘導体が利用される。
【０１２０】
特に好ましくは、エトキシル化ステアリルアルコール、イソステアリルアルコール、セチルアルコール、イソセチルアルコール、オレイルアルコール、ラウリルアルコール、イソラウリルアルコール及びセチルステアリルアルコール、特にポリエチレングリコール（１３）ステアリルエーテル、ポリエチレングリコール（１４）ステアリルエーテル、ポリエチレングリコール（１５）ステアリルエーテル、ポリエチレングリコール（１６）ステアリルエーテル、ポリエチレングリコール（１７）ステアリルエーテル、ポリエチレングリコール（１８）ステアリルエーテル、ポリエチレングリコール（１９）ステアリルエーテル、ポリエチレングリコール（２０）ステアリルエーテル、ポリエチレングリコール（１２）イソステアリルエーテル、ポリエチレングリコール（１３）イソステアリルエーテル、ポリエチレングリコール（１４）イソステアリルエーテル、ポリエチレングリコール（１５）イソステアリルエーテル、ポリエチレングリコール（１６）イソステアリルエーテル、ポリエチレングリコール（１７）イソステアリルエーテル、ポリエチレングリコール（１８）イソステアリルエーテル、ポリエチレングリコール（１９）イソステアリルエーテル、ポリエチレングリコール（２０）イソステアリルエーテル、ポリエチレングリコール（１３）セチルエーテル、ポリエチレングリコール（１４）セチルエーテル、ポリエチレングリコール（１５）セチルエーテル、ポリエチレングリコール（１６）セチルエーテル、ポリエチレングリコール（１７）セチルエーテル、ポリエチレングリコール（１８）セチルエーテル、ポリエチレングリコール（１９）セチルエーテル、ポリエチレングリコール（２０）セチルエーテル、ポリエチレングリコール（１３）イソセチルエーテル、ポリエチレングリコール（１４）イソセチルエーテル、ポリエチレングリコール（１５）イソセチルエーテル、ポリエチレングリコール（１６）イソセチルエーテル、ポリエチレングリコール（１７）イソセチルエーテル、ポリエチレングリコール（１８）イソセチルエーテル、ポリエチレングリコール（１９）イソセチルエーテル、ポリエチレングリコール（２０）イソセチルエーテル、ポリエチレングリコール（１２）オレイルエーテル、ポリエチレングリコール（１３）オレイルエーテル、ポリエチレングリコール（１４）オレイルエーテル、ポリエチレングリコール（１５）オレイルエーテル、ポリエチレングリコール（１２）ラウリルエーテル、ポリエチレングリコール（１２）イソラウリルエーテル、ポリエチレングリコール（１３）セチルステアリルエーテル、ポリエチレングリコール（１４）セチルステアリルエーテル、ポリエチレングリコール（１５）セチルステアリルエーテル、ポリエチレングリコール（１６）セチルステアリルエーテル、ポリエチレングリコール（１７）セチルステアリルエーテル、ポリエチレングリコール（１８）セチルステアリルエーテル、ポリエチレングリコール（１９）セチルステアリルエーテルの群から選択される脂肪アルコールエトキシレートが使用される。
【０１２１】
同様に、エトキシル化ステアレート、イソステアレート及びオレエート、特にポリエチレングリコール（２０）ステアレート、ポリエチレングリコール（２１）ステアレート、ポリエチレングリコール（２２）ステアレート、ポリエチレングリコール（２３）ステアレート、ポリエチレングリコール（２４）ステアレート、ポリエチレングリコール（２５）ステアレート、ポリエチレングリコール（１２）イソステアレート、ポリエチレングリコール（１３）イソステアレート、ポリエチレングリコール（１４）イソステアレート、ポリエチレングリコール（１５）イソステアレート、ポリエチレングリコール（１６）イソステアレート、ポリエチレングリコール（１７）イソステアレート、ポリエチレングリコール（１８）イソステアレート、ポリエチレングリコール（１９）イソステアレート、ポリエチレングリコール（２０）イソステアレート、ポリエチレングリコール（２１）イソステアレート、ポリエチレングリコール（２２）イソステアレート、ポリエチレングリコール（２３）イソステアレート、ポリエチレングリコール（２４）イソステアレート、ポリエチレングリコール（２５）イソステアレート、ポリエチレングリコール（１２）オレエート、ポリエチレングリコール（１３）オレエート、ポリエチレングリコール（１４）オレエート、ポリエチレングリコール（１５）オレエート、ポリエチレングリコール（１６）オレエート、ポリエチレングリコール（１７）オレエート、ポリエチレングリコール（１８）オレエート、ポリエチレングリコール（１９）オレエート、ポリエチレングリコール（２０）オレエートの群から選択される脂肪酸エトキシレートも好ましい。
【０１２２】
エトキシル化アルキルエーテルカルボン酸またはそれの塩としては、ナトリウムラウレス−１１−カルボキシレートを有利に使用できる。
【０１２３】
エトキシル化されたトリグリセリドとしては、有利には、ポリエチレングリコール（６０）イブニングプリモースグリセリドが使用できる。
【０１２４】
更に、ポリエチレングリコールグリセリン脂肪酸エステルが、ポリエチレングリコール（２０）グリセリルラウレート、ポリエチレングリコール（６）グリセリルカプレート／カプリネート、ポリエチレングリコール（２０）グリセリルオレエート、ポリエチレングリコール（２０）グリセリルイソステアレート及びポリエチレングリコール（１８）グリセリルオレエート／ココエートの群から選択されると有利である。
【０１２５】
ソルビタンエステルの中では、ポリエチレングリコール（２０）ソルビタンモノラウレート、ポリエチレングリコール（２０）ソルビタンモノステアレート、ポリエチレングリコール（２０）ソルビタンモノイソステアレート、ポリエチレングリコール（２０）ソルビタンモノパルミテート、ポリエチレングリコール（２０）ソルビタンモノオレエートが特に適している。
【０１２６】
特に有利な共乳化剤は、グリセリルモノステアレート、グリセリルモノオレエート、ジグリセリルモノステアレート、グリセリルイソステアレート、ポリグリセリル−３−オレエート、ポリグリセリル−３−ジイソステアレート、ポリグリセリル−４−イソステアレート、ポリグリセリル−２−ジポリヒドロキシステアレート、ポリグリセリル−４−ジポリヒドロキシステアレート、ＰＥＧ−３０−ジポリヒドロキシステアレート、ジイソステアロイルポリグリセリル−３−ジイソステアレート、グリコールジステアレート及びポリグリセリル−３−ジポリヒドロキシステアレート、ソルビタンモノイソステアレート、ソルビタンステアレート、ソルビタンオレエート、サッカロースジステアレート、レシチン、ＰＥＧ−７−水素化ヒマシ油、セチルアルコール、ステアリルアルコール、ベヘニルアルコール、イソベヘニルアルコール及びポリエチレングリコール（２）ステアリルエーテル（ステアレス−２）、アルキルメチコーンコポリオール及びアルキル−ジメチコーンコポリオール、特にセチルジメチコーンコポリオール（ＡＢＩＬ（登録商標）ＥＭ  ９０）、ラウリルメチコーンコポリオール、またはアモジメチコーングリセロカルバメート（ＳｉｌＣａｒｅ（登録商標）Ｓｉｌｉｃｏｎｅ  ＷＳＩ，Ｃｌａｒｉａｎｔ）である。
【０１２７】
本発明の組成物が、乳化剤、共乳化剤及び可溶化剤からなる群から選択される一種または二種以上の物質を含む場合には、この一種のまたはこれらの二種以上の物質は、対応する本発明の組成物の総重量を基準にして、好ましくは０．１〜２０．０重量％の量で、特に好ましくは０．５〜１０．０重量％の量で、就中好ましくは１．０〜５．０重量％の量で本発明の組成物中に含まれる。
【０１２８】
電解質としては、無機塩、好ましくはアンモニウム塩または金属塩、特に好ましくはハロゲン化物のこのような塩、例えばＣａＣｌ２、ＭｇＣｌ２、ＬｉＣｌ、ＫＣｌ及びＮａＣｌ、並びに炭酸塩、炭酸水素塩、リン酸塩、硫酸塩、硝酸塩のこのような塩、特に好ましくは塩化ナトリウム、及び／または有機塩、好ましくはアンモニウム塩または金属塩、特に好ましくはグリコール酸、乳酸、クエン酸、酒石酸、マンデル酸、サリチル酸、アスコルビン酸、ピルビン酸、フマル酸、レチノイン酸、スルホン酸、安息香酸、コウジ酸、フルーツ酸、リンゴ酸、グルコン酸またはガラクツロン酸のこのような塩を使用することができる。これには、アンモニウム塩、好ましくはアルミニウムクロロハイドレートまたはアルミニウム−ジルコニウム錯塩も含まれる。
【０１２９】
それ故、本発明の好ましい実施形態の一つでは、本発明の組成物は、無機酸及び有機酸から選択される一種または二種以上の物質を含む。
【０１３０】
電解質としては、本発明の組成物は、異なる塩の混合物も含むことができる。
【０１３１】
本発明の組成物が一種または二種以上の電解質を含む場合には、これらは、対応する本発明の組成物の総重量を基準にして、好ましくは０．０１〜２０．０重量％の量で、特に好ましくは０．１〜１０．０重量％の量で、就中好ましくは０．５〜５．０重量％の量で本発明の組成物中に含まれる。
【０１３２】
本発明のポリマーは酸安定性であり、そして、好ましくは、２〜６の低いｐＨ値の化粧料、医薬用及び／または皮膚科学的組成物中での使用に適しており、特に手及び皮膚の消毒並びに皮膚のケアのための製品に適している。
【０１３３】
酸性添加剤及びそれの塩の使用は、一部では、化粧料または皮膚科学的組成物のｐＨ値を明らかに酸性の範囲に調整することを必要とする。
【０１３４】
本発明の更に別の好ましい実施形態の一つでは、本発明の組成物は、一種または二種以上のヒドロキシ酸、特に好ましくはアルファ−及びベータ−ヒドロキシ酸から選択される一種または二種以上の物質を含む。
【０１３５】
ヒドロキシ酸については、本発明の組成物は、好ましくは、乳酸、グリコール酸、サリチル酸及びアルキル化サリチル酸またはクエン酸を含むことができる。更に、本発明の調合物は、更に別の酸性成分を含むことができる。有効成分としては、酒石酸、マンデル酸、カフェー酸、ピルビン酸、オリゴオキサモノ−もしくはジカルボン酸、フマル酸、レチノイン酸、スルホン酸、安息香酸、コウジ酸、フルーツ酸、リンゴ酸、グルコン酸、ピルビン酸、ガラクツロン酸、リボン酸、及び全てのそれらの誘導体、遊離のもしくは部分的に中和された形のポリグリコール二酸、ビタミンＣ（アスコルビン酸）、ビタミンＣ誘導体、ジヒドロキシアセトンまたは美白活性物質、例えばアルブチンまたはグリチルレチン酸またはそれの塩が考慮される。本発明の組成物が一種または二種以上の上記の物質を含む場合には、この一種の物質またはこれらの二種以上の上記の物質は、対応する本発明の組成物の総重量を基準にして、好ましくは０．１〜２０．０重量％の量で、特に好ましくは０．２〜１０．０重量％の量で、就中好ましくは０．５〜５．０重量％の量で本発明の組成物中に含まれる。
【０１３６】
それ故、本発明の更に別の好ましい実施形態の一つでは、本発明の組成物は、ビタミンＣ及びビタミンＣ誘導体から選択される一種または二種以上の物質を含み、この際、ビタミンＣ誘導体は、好ましくは、アスコルビルリン酸ナトリウム、アスコルビルリン酸マグネシウム及びマグネシウムアスコルビルグルコシドから選択される。
【０１３７】
本発明の更に別の好ましい実施形態の一つでは、本発明の組成物は、安息香酸、ソルビン酸、サリチル酸、乳酸及びパラメトキシ安息香酸から選択される一種または二種以上の物質を含む。本発明のポリマーは酸性ｐＨ範囲でも増粘しそして降伏点が生ずるために、上記の有機酸を防腐剤として用いて作業することができる。
【０１３８】
本発明のポリマーに加えて、追加の安定化剤として、脂肪酸の金属塩、例えばステアリン酸マグネシウム、ステアリン酸アルミニウム及び／またはステアリン酸亜鉛を使用することができる。本発明の組成物が、一種または二種以上の上記の物質を含む場合には、この一種の物質またはこれらの二種以上の物質は、対応する本発明の組成物の総重量を基準にして、好ましくは０．１〜１０．０重量％の量で、特に好ましくは０．５〜８．０重量％の量で、就中好ましくは１．０〜５．０重量％の量で、本発明の組成物中に含まれる。
【０１３９】
カチオン性ポリマーとしては、ＩＮＣＩ名で“ポリクオタニウム（Ｐｏｌｙｑｕａｔｅｒｎｉｕｍ）”として知られる物質、特にポリクオタニウム−３１、ポリクオタニウム−１６、ポリクオタニウム−２４、ポリクオタニウム−７、ポリクオタニウム−２２、ポリクオタニウム−３９、ポリクオタニウム−２８、ポリクオタニウム−２、ポリクオタニウム−１０、ポリクオタニウム−１１、並びにポリクオタニウム３７＆鉱油＆ＰＰＧトリデセス（Ｓａｌｃａｒｅ  ＳＣ９５）、ＰＶＰ−ジメチルアミノエチルメタクリレート−コポリマー、グアー−ヒドロキシプロピルトリアンモニウム−クロライド、並びにアルギン酸カルシウム及びアルギン酸アンモニウムが適している。更に、カチオン性セルロース誘導体；カチオン性デンプン；ジアリルアンモニウム塩とアクリルアミド類とのコポリマー；四級化されたビニルピロリドン／ビニルイミダゾールポリマー；ポリグリコールとアミンとの縮合生成物；四級化されたコラーゲンポリペプチド；四級化されたコムギポリペプチド；ポリエチレンイミン；カチオン性シリコーンポリマー、例えばアミドメチコーン；アジピン酸とジメチルアミノヒドロキシ−プロピルジエチレントリアミンとのコポリマー；ポリアミノポリアミド及びカチオン性キチン誘導体、例えばキトサンを使用することができる。
【０１４０】
本発明の組成物が一種または二種以上の上記のカチオン性ポリマーを含む場合には、これらは、対応する本発明の組成物の総重量を基準にして、好ましくは０．１〜５．０重量％の量で、特に好ましくは０．２〜３．０重量％の量で、就中好ましくは０．５〜２．０重量％の量で、本発明の組成物中に含まれる。
【０１４１】
更に、本発明の組成物は成膜剤を含むことができ、これは、使用目的に応じて、フェニルベンズイミダゾールスルホン酸の塩、水溶性ポリウレタン、例えばＣ１０−ポリカルバミルポリグリセリルエステル、ポリビニルアルコール、ポリビニルピロリドンコポリマー、例えばビニルピロリドン／ビニルアセテートコポリマーまたはＰＶＰ／エイコセンコポリマー、マレイン酸化ポリプロピレンポリマー、水溶性アクリル酸ポリマー／コポリマーまたはそれのエステルもしくは塩、例えばアクリル／メタクリル酸の部分エステルコポリマー、水溶性セルロース、例えばヒドロキシメチルセルロース、ヒドロキシエチルセルロース、ヒドロキシプロピルセルロース、水溶性クオタニウム類、ポリクオタニウム類、カルボキシビニル−ポリマー、例えばカルボマー及びそれの塩、ポリサッカライド、例えばポリデキストロース及びグルカン、ビニルアセテート／クロトネート、例えばＡｒｉｓｔｏｆｌｅｘ（登録商標）Ａ６０（Ｃｌａｒｉａｎｔ）の商品名で入手可能なものから選択される。
【０１４２】
本発明の組成物が一種または二種以上の成膜剤を含む場合には、これらは、対応する本発明の組成物の総重量を基準にして、好ましくは０．１〜１０．０重量％の量で、特に好ましくは０．２〜５．０重量％の量で、就中好ましくは０．５〜３．０重量％の量で、本発明の組成物中に含まれる。
【０１４３】
該組成物の所望の粘度は、他の増粘剤及びゲル化剤の添加によって調節することができる。好ましくは、セルロースエーテル及び他のセルロース誘導体（例えばカルボキシメチルセルロース、ヒドロキシエチルセルロース）、ゼラチン、デンプン及びデンプン誘導体、アルギン酸ナトリウム、脂肪酸ポリエチレングリコールエステル、寒天、カラギーナン、トラガントまたはデキストリン誘導体、特にデキストリンエステルが考慮される。更に、脂肪酸の金属塩、好ましくは炭素原子数１２〜２２の脂肪酸の金属塩、例えばステアリン酸ナトリウム、パルミチン酸ナトリウム、ラウリン酸ナトリウム、アラキジン酸ナトリウム、ベヘン酸ナトリウム、ステアリン酸カリウム、パルミチン酸カリウム、ミリスチン酸ナトリウム、モノステアリン酸アルミニウム、ヒドロキシ脂肪酸、例えば１２−ヒドロキシステアリン酸、１６−ヒドロキシヘキサデカノイル酸；脂肪酸アミド；脂肪酸アルカノールアミド；ジベンザールソルビトール及びアルコール可溶性ポリアミド及びポリアクリルアミド、またはこれらの混合物が適している。更に、架橋されたまたは架橋されていないポリアクリレート、例えばカルボマー、ポリアクリル酸ナトリウムまたはスルホン酸含有ポリマー、例えばアクリロイルジメチルタウリン酸アンモニウム／ＶＰ−コポリマー、またはアクリロイルジメチルタウリン酸ナトリウム／ＶＰ−コポリマーを使用することができる。
【０１４４】
本発明の組成物が、増粘剤及びゲル化剤からなる群から選択される一種または二種以上の物質を含む場合には、この一種の物質またはこれらの二種以上の物質は、対応する本発明の組成物の総重量を基準にして、好ましくは０．０１〜２０．０重量％の量で、特に好ましくは０．１〜１０．０重量％の量で、就中好ましくは０．２〜３．０重量％の量で、非常に好ましくは０．４〜２．０重量％の量で、本発明の組成物中に含まれる。
【０１４５】
過脂肪剤または再脂肪剤としては、好ましくは、ラノリン及びレシチン、非エトキシル及びポリエトキシル化もしくはアシル化ラノリン−及びレシチン誘導体、ポリオール脂肪酸エステル、例えばグリセリルオレエート、モノ−、ジ−もしくはトリグリセリド、及び／または脂肪酸アルカノールアミド（この際、後者の物は同時に泡安定剤としても働く）を使用することができる。本発明の組成物が一種または二種以上の上記の物質を含む場合は、この一種の物質またはこれらの二種以上の物質は、対応する本発明の組成物の総重量を基準にして、好ましくは０．０１〜１０．０重量％の量で、特に好ましくは０．１〜５．０重量％の量で、就中好ましくは０．５〜３．０重量％の量で、本発明の組成物中に含まれる。
【０１４６】
本発明の更に別の好ましい実施形態の一つでは、本発明の組成物は、一種または二種以上の抗菌有効物質を含み、そして好ましくは消毒用組成物の形で、特に好ましくは消毒用ジェルの形で存在する。
【０１４７】
抗菌有効物質には、セチルトリメチルアンモニウムクロライド、セチルピリジニウムクロライド、ベンゼトニウムクロライド、ジイソブチルエトキシエチルジメチルベンジルアンモニウムクロライド、Ｎ−ラウリルサルコシンナトリウム、Ｎ−パルメチルサルコシンナトリウム、ラウロイルサルコシン、Ｎ−ミリストイルグリシン、Ｎ−ラウリルサルコシンカリウム、トリメチルアンモニウムクロライド、ナトリウムアルミニウムクロロヒドロキシラクテート、トリエチルシトレート、トリセチルメチルアンモニウムクロライド、２，４，４’−トリクロロ−２’−ヒドロキシジフェニルエーテル（トリクロサン）、フェノキシエタノール、１，５−ペンタンジオール、１，６−ヘキサンジオール、３，４，４’−トリクロロカルバニリド（トリクロカルバン）、ジアミノアルキルアミド、例えばＬ−リシンヘキサデシルアミド、シトレート重金属塩、サリチレート、ピロクトース、特に亜鉛塩、ピリチオン類及びそれの重金属塩、特に亜鉛ピリチオン、亜鉛フェノールスルフェート、ファルネソール、ケトコナゾール、オキシコナゾール、ビフォナゾール、ブトコナゾール、クロコナゾール、クロトリマゾール、エコナゾール、エニルコナゾール、フェンチコナゾール、イソコナゾール、ミコナゾール、サルコナゾール、チオコナゾール、フルコナゾール、イトラコナゾール、テルコナゾール、ナフチフィン及びテルビナフィン、セレンジスルフィド及びＯｃｔｏｐｉｒｏｘ（登録商標）、ヨードプロピニルブチルカルバメート、メチルクロロイソチアゾリノン、メチルイソチアゾリノン、メチルジブロモグルタロニトリル、ＡｇＣｌ、クロロキシレノール、ジエチルヘキシルスルホスクシネートのＮａ塩、安息香酸ナトリウム、並びにフェノキシエタノール、ベンジルアルコール、フェノキシイソプロパノール、パラベン類、好ましくはブチル−、エチル−、メチル−及びプロピルパラベン、並びにこれらのＮａ塩、ペンタンジオール、１，２−オクタンジオール、２−ブロモ−２−ニトロプロパン−１，３−ジオール、エチルヘキシルグリセリン、ベンジルアルコール、ソルビン酸、安息香酸、乳酸、イミダゾリジニル尿素、ジアゾリジニル尿素、ジメチロールジメチルヒダントイン（ＤＭＤＭＨ）、ヒドロキシメチルグリシネートのＮａ塩、ソルビン酸のヒドロキシエチルグリシン、及びこれらの有効物質の組み合わせを使用することができる。
【０１４８】
本発明の組成物が一種または二種以上の抗菌有効物質を含む場合には、これらは、対応する本発明の組成物の総重量を基準にして、好ましくは０．００１〜５．０重量％の量で、特に好ましくは０．０１〜３．０重量％の量で、就中好ましくは０．１〜２．０重量％の量で、本発明の組成物中に含まれる。
【０１４９】
本発明の組成物は、更に、植物エキス、例えばアロエベラ、並びに局所麻酔薬、抗生物質、抗炎症剤、抗アレルギー剤、コルチコステロイド、皮脂分泌調整剤（Ｓｅｂｏｓｔａｔｉｋａ）、Ｂｉｓａｂｏｌｏｌ（登録商標）、アラントイン、Ｐｈｙｔａｎｔｒｉｏｌ（登録商標）、タンパク質；ナイアシン、ビオチン、ビタミンＢ２、ビタミンＢ３、
ビタミンＢ６、ビタミンＢ３誘導体（塩、酸、エステル、アミド、アルコール）、ビタミンＣ及びビタミンＣ誘導体（塩、酸、エステル、アミド、アルコール）、好ましくはアスコルビン酸のモノリン酸エステルのナトリウム塩としてまたはアスコルビン酸のリン酸エステルのマグネシウム塩として、トコフェロール及びトコフェロールアセテート、並びにビタミンＥ及び／またはそれの誘導体から選択されるビタミン、
から選択される生体活性物質を含むことができる。
【０１５０】
本発明の組成物が一種または二種以上の生体活性物質を含む場合には、これらは、対応する本発明の組成物の総重量を基準にして、好ましくは０．００１〜５．０重量％の量で、特に好ましくは０．０１〜３．０重量％の量で、就中好ましくは０．１〜２．０重量％の量で、本発明の組成物中に含まれる。
【０１５１】
本発明の組成物は、収斂剤、好ましくは酸化マグネシウム、酸化アルミニウム、二酸化チタン、二酸化ジルコニウム及び酸化亜鉛、酸化物水和物、好ましくは酸化アルミニウム水和物（ベーマイト）及び水酸化物、好ましくはカルシウム、マグネシウム、アルミニウム、チタン、ジルコニウムまたは亜鉛の水酸化物、並びにアルミニウムクロロハイドレートを含むことができる。本発明の組成物が、一種または二種以上の収斂剤を含む場合には、これらは、対応する本発明の組成物の総重量を基準にして、好ましくは０．００１〜５０．０重量％の量で、特に好ましくは０．０１〜１０．０重量％の量で、特に好ましくは０．１〜１０．０重量％の量で、本発明の組成物中に含まれる。
【０１５２】
消臭物質としては、アラントイン及びビサボロールが好ましい。本発明の組成物が一種または二種以上の消臭物質を含む場合には、これらは、対応する本発明の組成物の総重量を基準にして、好ましくは０．０００１〜１０．０重量％の量で、本発明の組成物中に含まれる。
【０１５３】
本発明の更に別の好ましい実施形態の一つでは、本発明の組成物は、無機及び有機ＵＶフィルターからなる群から選択される一種または二種以上の物質を含み、特に好ましくはサンスクリーン組成物の形で存在する。
【０１５４】
本発明の組成物は、顔料／マイクロ顔料として、並び無機系サンスクリーンフィルターもしくはＵＶフィルターとして、微細な二酸化チタン、マイカ−酸化チタン、酸化鉄類、マイカ−酸化鉄、酸化亜鉛、酸化ケイ素類、ウルトラマリンブルーまたは酸化クロム類を含むことができる。
【０１５５】
有機系サンスクリーンフィルターもしくはＵＶ−フィルターは、好ましくは、４−アミノ安息香酸、３−（４’−トリメチルアンモニウム）−ベンジリデン−ボラン−２−オン−メチルスルフェート、カンファーベンズアルコニウムメトスルフェート、３，３，５−トリメチル−シクロヘキシルサリチレート、２−ヒドロキシ−４−メトキシベンゾフェノン、２−フェニルベンズイミダゾール−５−スルホン酸及びこれのカリウム塩、ナトリウム塩及びトリエタノールアミン塩、３，３’−（１，４−フェニレンジメチン）−ビス−（７，７−ジメチル−２−オキソビシクロ［２．２．１］−ヘプタン−１−メタンスルホン酸）及びそれの塩、１−（４−ｔｅｒｔ．−ブチルフェニル）−３−（４−メトキシフェニル）プロパン−１，３−ジオン、３−（４’−スルホ）−ベンジリデン−ボルナン−２−オン及びそれの塩、２−シアン−３，３−ジフェニル−アクリル酸−（２−エチルヘキシルエステル）、Ｎ−［２（及び４）−（２−オキソボルン−３−イリデンメチル）ベンジル］−アクリルアミドのポリマー、４−メトキシ−桂皮酸−２−エチル−ヘキシルエステル、エトキシル化エチル−４−アミノ−ベンゾエート、４−メトキシ−桂皮酸−イソアミルエステル、２，４，６−トリス−［ｐ−（２−エチルヘキシルオキシカルボニル）アニリノ］−１，３，５−トリアジン、２−（２Ｈ−ベンゾトリアゾール−２−イル）−４−メチル−６−（２−メチル−３−（１，３，３，３−テトラメチル−１−（トリメチルシリルオキシ）−ジシロキサニル）−プロピル）フェノール、４，４’−［（６−［４−（（１，１−ジメチルエチル）−アミノ−カルボニル）フェニルアミノ］−１，３，５−トリアジン−２，４−イル）ジイミノ］ビス−（安息香酸−２−エチルヘキシルエステル）、ベンゾフェノン−３、ベンゾフェノン−４（酸）、３−（４’−メチルベンジリデン）−Ｄ，Ｌ−カンファー、３−ベンジリデン−カンファー、サリチル酸−２−エチルヘキシルエステル、４−ジメチルアミノ安息香酸−２−エチルヘキシルエステル、ヒドロキシ−４−メトキシ−ベンゾフェノン−５−スルホン酸（スルフィソベンゾナム）及びそのナトリウム塩、４−イソプロピルベンジルサリチレート、Ｎ，Ｎ，Ｎ−トリメチル−４−（２−オキソボルン−３−イリデンメチル）アニリウムメチルスルフェート、ホモサラート（ＩＮＮ）、オキシベンゾン（ＩＮＮ）、２−フェニルベンズイミダゾール−５−スルホン酸及びそれのナトリウム−、カリウム−及びトリエタノールアミン塩、オクチルメトキシ桂皮酸、イソペンチル−４−メトキシ桂皮酸、イソアミル−ｐ−メトキシ桂皮酸、２，４，６−トリアニリノ−（ｐ−カルボ−２’−エチルヘキシル−１’−オキシ）−１，３，５−トリアジン（オクチルトリアゾン）フェノール、２−２（２Ｈ−ベンゾトリアゾール−２−イル）−４−メチル−６−（２−メチル−３−（１，３，３，３−テトラメチル−１−（トリメチルシリル）オキシ）−ジシロキサニル）プロピル（ドロメトリゾールトリシロキサン）安息香酸、４，４−（（６−（（（１，１−ジメチルエチル）アミノ）カルボニル）フェニル）アミノ）−１，３，５−トリアジン−２，４−ジイル）ジイミノ）ビス，ビス（２−エチルヘキシル）エステル）安息香酸、４，４−（（６−（（（１，１−ジメチルエチル）アミノ）−カルボニル）フェニル）アミノ）−１，３，５−トリアジン−２，４−ジイル）ジイミノ）ビス，ビス（２−エチルヘキシル）エステル）、３−（４’−メチルベンジリデン）−Ｄ，Ｌ−カンファー（４−メチルベンジリデンカンファー）、ベンジリデン−カンファー−スルホン酸、オクトクリレン、ポリアクリルアミドメチル−ベンジリデン−カンファー、２−エチルヘキシルサリチレート（オクチルサリチレート）、４−ジメチル−アミノ安息香酸エチル−２−ヘキシルエステル（オクチルジメチルＰＡＢＡ）、ＰＥＧ−２５ＰＡＢＡ、２−ヒドロキシ−４−メトキシベンゾフェノン−５−スルホン酸（ベンゾフェノン−５）及びそのＮａ塩、２，２’−メチレン−ビス−６−（２Ｈ−ベンゾトリアゾール−２イル）−４−（テトラメチル−ブチル）−１，１，３，３−フェノール、２−２’−ビス−（１，４−フェニレン）１Ｈ−ベンズイミダゾール−４，６−ジスルホン酸のナトリウム塩、（１，３，５）−トリアジン−２，４−ビス（（４−（２−エチル−ヘキシルオキシ）−２−ヒドロキシ）−フェニル）−６−（４−メトキシフェニル）、２−エチルヘキシル−２−シアノ−３，３−ジフェニル−２−プロペノエート、グリセリルオクタノエート、ジ−ｐ−メトキシ桂皮酸、ｐ−アミノ−安息香酸及びそれのエステル、４−ｔｅｒｔ−ブチル−４’−メトキシジベンゾイルメタン、４−（２−β−グルコピラノキシ）プロポキシ−２−ヒドロキシベンゾフェノン、オクチルサリチレート、メチル−２，５−ジイソプロピル桂皮酸、シノキサート、ジヒドロキシ−ジメトキシベンゾフェノン、２，２’−ジヒドロキシ−４，４’−ジメトキシ−５，５’−ジスルホベンゾフェノンの二ナトリウム塩、ジヒドロキシベンゾフェノン、１，３，４−ジメトキシフェニル−４，４−ジメチル−１，３−ペンタンジオン、２−エチルヘキシル−ジメトキシベンジリデン−ジオキソイミダゾリジンプロピオネート、メチレン−ビス−ベンズトリアゾリルテトラメチルブチルフェノール、フェニルジベンズイミダゾールテトラスルホネート、ビス−エチルヘキシルオキシフェノール−メトキシフェノール−トリアジン、テトラヒドロキシベンゾフェノン、テレフタルイリデンジカンファー−スルホン酸、２，４，６−トリス［４，２−エチルヘキシルオキシカルボニル）アニリノ］−１，３，５−トリアジン、メチル−ビス（トリメチルシロキシ）シリル−イソペンチルトリメトキシ−桂皮酸、アミル−ｐ−ジメチルアミノベンゾエート、アミル−ｐ−ジメチルアミノベンゾエート、２−エチルヘキシル−ｐ−ジメチルアミノベンゾエート、イソプロプル−ｐ−メトキシ桂皮酸／ジイソプロピル桂皮酸エステル、２−エチルヘキシル−ｐ−メトキシ桂皮酸、２−ヒドロキシ−４−メトキシベンゾフェノン、２−ヒドロキシ−４−メトキシベンゾフェノン−５−スルホン酸及びその三水和物、並びに２−ヒドロキシ−４−メトキシベンゾフェノン−５−スルホネートナトリウム塩、及びフェニル−ベンズイミダゾール−スルホン酸から選択される。
【０１５６】
本発明の組成物が一種または二種以上のサンスクリーンフィルターを含む場合は、これらは、対応する本発明の組成物の総重量を基準にして、好ましくは０．００１〜３０．０重量％の量で、特に好ましくは０．０５〜２０．０重量％の量で、特に好ましくは１．０〜１０．０重量％の量で、本発明の組成物中に含まれる。
【０１５７】
本発明の組成物は一種または二種以上の酸化防止剤を含むことができ、該酸化防止剤は、好ましくは、アミノ酸（例えばグリシン、ヒスチジン、チロシン、トリプトファン）及びそれらの誘導体、イミダゾール類（例えばウロカニン酸）及びそれらの誘導体、ペプチド類、例えばＤ，Ｌ−カルノシン、Ｄ−カルノシン、Ｌ−カルノシン及びそれらの誘導体（例えばアンセリン）、カロチノイド類、カロチン類（例えばα−カロチン、β−カロチン、リコピン）及びそれらの誘導体、クロロゲン酸及びそれの誘導体、リポン酸及びそれの誘導体（例えばジヒドロリポン酸）、オーロチオグルコース、プロピルチオウラシル及び他のチオール類（例えばチオレドキシン、グルタチオン、システイン、シスチン、シスタミン及びそれのグリコシル−、Ｎ−アセチル−、メチル−、エチル−、プロピル−、アミル−、ブチル−及びラウリル−、パルミトイル−、オレイル−、γ−リノレイル−、コレステリル−及びグリセリルエステル）並びにそれらの塩、ジラウリルチオジプロピオネート、ジステアリルチオジプロピオネート、チオジプロピオン酸及びそれの誘導体（例えば、エステル、エーテル、ペプチド、リピド、ヌクレオチド、ヌクレオシド及び塩）、並びにスルホキシミン化合物（例えばブチオニンスルホキシミン、ホモシステインスルホキシミン、ブチオニンスルホン、ペンタ−、ヘキサ−、ヘプタチオニンスルホキシミン）を非常に少量の許容可能な投与量で、更に（金属）−キレート剤（例えば、α−ヒドロキシ脂肪酸、パルミチン酸、フィチン酸、ラクトフェリン）、α−ヒドロキシ酸（例えばクエン酸、乳酸、リンゴ酸）、フミン酸、胆汁酸、胆汁エキス、ビリルビン、ビリベルジン、ＥＤＴＡ、ＥＧＴＡ及びそれらの誘導体、不飽和脂肪酸及びそれらの誘導体（例えばγ−リノレン酸、リノール酸、オレイン酸）、葉酸及びそれの誘導体、ユビキノン及びユビキノール及びそれらの誘導体、ビタミンＣ及び誘導体（例えばアスコルビルパルミテート、Ｍｇ−アスコルビルホスフェート、アスコルビルアセテート）、トコフェロール類及び誘導体（例えばビタミンＥ−アセテート）、ビタミンＡ及び誘導体（ビタミンＡ−パルミテート）並びにベンゾイン樹脂のコニフェリルベンゾエート、ルチン酸及びそれの誘導体、α−グリコシルルチン、フェルラ酸、フルフリルインデングルシトール、カルノシン、ブチルヒドロキシトルエン、ブチルヒドロキシアニソール、ノルジヒドログアヤク樹脂酸、ノルジヒドログアヤレチン酸、トリヒドロキシブチロフェノン、尿酸及びそれの誘導体、マンノース及びそれの誘導体、亜鉛及びそれの誘導体（例えばＺｎＯ、ＺｎＳＯ４）、セレン及びそれの誘導体（例えばセレンメチオニン）、スチルベン類及びそれらの誘導体（例えばスチルベンオキシド、トランス−スチルベンオキシド）、スーパーオキシドジスムターゼ、及び上記の物質の本発明に適した誘導体（塩、エステル、エーテル、糖、ヌクレオチド、ヌクレオシド、ペプチド及びリピド）から選択される。
【０１５８】
酸化防止剤は、酸化的な負荷から皮膚及び毛髪を保護することができる。この際、好ましい酸化防止剤はビタミンＥ及びそれの誘導体、並びにビタミンＡ及びそれの誘導体である。
【０１５９】
本発明の組成物が、一種または二種以上の酸化防止剤を含む場合には、これらは、対応する本発明の組成物の総重量を基準にして、好ましくは０．００１〜３０．０重量％の量で、特に好ましくは０．０５〜２０．０重量％の量で、特に好ましくは１．０〜１０．０重量％の量で、本発明の組成物中に含まれる。
【０１６０】
更に、２−ピロリドン−５−カルボキシレートのナトリウム塩（ＮａＰＣＡ）、グアニジン；グリコール酸及びそれの塩、乳酸及びそれの塩、グルコサミン及びそれの塩、ラクトアミドモノエタノールアミン、アセトアミドモノエタノールアミン、尿素、ヒドロキシエチル尿素、ヒドロキシ酸、パンテノール及びそれの誘導体、例えばＤ−パンテノール（Ｒ−２，４−ジヒドロキシ−Ｎ−（３−ヒドロキシプロピル）−３，３−ジメチルブタミド）、Ｄ，Ｌ−パンテノール、パントテン酸カルシウム、ペンテチン、パントテイン、パンテニルエチルエーテル、イソプロピルパルミテート、グリセリン及び／またはソルビトールから選択される保湿剤を使用できる。本発明の組成物が一種または二種以上の保湿剤を含む場合には、これらは、対応する本発明の組成物の総重量を基準にして、好ましくは０．１〜１５．０重量％の量で、特に好ましくは０．５〜５．０重量％の量で、本発明の組成物中に含まれる。
【０１６１】
追加的に、本発明の組成物は有機溶剤を含むことができる。原則的に、全ての一価もしくは多価のアルコールが有機溶剤として考慮される。好ましくは、炭素原子数１〜４個のアルコール、例えばエタノール、プロパノール、イソプロパノール、ｎ−ブタノール、ｉ−ブタノール、ｔｅｒｔ．−ブタノール、グリセリン及びこれらのアルコールの混合物が使用される。更に別の好ましいアルコールは、２０００未満の相対分子量を有するポリエチレングリコールである。特に、２００〜６００の相対分子量を有するポリエチレングリコールを４５．０重量％までの量で、及び４００〜６００の相対分子量を有するポリエチレングリコールを５．０〜２５．０重量％の量で使用するのが好ましい。更に別の好ましい溶剤は、例えばトリアセチン（グリセリントリアセテート）及び１−メトキシ−２−プロパノールである。
【０１６２】
本発明の組成物は、着色料、例えば染料及び／または顔料から選択される一種または二種以上の物質を含むことができる。本発明の調合物中に含まれる染料及び／または顔料（有機系及び無機系染料及び顔料のいずれも）は、化粧品法の対応するポジティブリストまたは化粧品用着色料のＥＧリストから選択される。
【０１６３】
【表１】
0005976687.tif 000008
0005976687.tif 000009
0005976687.tif 000010
更に有利なものは、油溶性天然染料、例えばパプリカエキス、β−カロチン及びコヘニール（Ｃｏｃｈｅｎｉｌｌｅ）である。
【０１６４】
また、真珠光沢顔料、例えばパールエッセンス（魚鱗からのグアニン／ハイポキサンチン混晶）及び真珠母貝（粉砕した二枚貝の殻）、単結晶性真珠光沢顔料、例えばビスムトキシクロライド（ＢｉＯＣｌ）、層−基材顔料、例えばマイカ／酸化金属、ＴｉＯ２からなるシルバーホワイト真珠光沢顔料、干渉顔料（ＴｉＯ２、様々な層厚）、カラー光沢顔料（Ｆｅ２Ｏ３）、及びコンビネーション顔料（ＴｉＯ２／Ｆｅ２Ｏ３、ＴｉＯ２／Ｃｒ２Ｏ３、ＴｉＯ２／ベルリンブルー、ＴｉＯ２／カルミン）も有利に使用される。
【０１６５】
本発明の枠内において、効果顔料（Ｅｆｆｅｋｔｐｉｇｍｅｎｔ）とは、それらの屈折性によって特に光学的な効果を引き起こす顔料のことと解される。効果顔料は、処理された表面（皮膚、毛髪、粘膜）に光沢効果または光輝効果を与えるか、または拡散光散乱によって皮膚の起伏及び皮膚の皺を光学的に覆い隠すことができる。効果顔料の特別な実施形態としては干渉顔料が好ましい。特に好適な効果顔料は、例えば、少なくとも一種の金属酸化物で被覆されたマイカ粒子である。マイカの他に、層状ケイ酸塩、シリカゲル及び他のＳｉＯ２変態も担体として好適である。被覆にしばしば使用される金属酸化物は、例えば酸化チタンであり、これには望ましい場合には酸化鉄と混合してもよい。顔料粒子の大きさ及び形状（例えば、球形、楕円形、平坦（ａｂｇｅｆｌａｃｈｔ）、平ら（ｅｂｅｎ）、凹凸）を介して並びに酸化物被覆の厚さを介して、反射特性に影響を与えることができる。他の金属酸化物、例えばビスムトキシクロライド（ＢｉＯＣｌ）、並びに例えばチタンの酸化物、特にＴｉＯ２変態のアナタス及びルチル、アルミニウム、タンタル、ニオブ、ジルコニウム及びハフニウム。フッ化マグネシウム（ＭｇＦ２）及びフッ化カルシウム（フルオロスパー，ＣａＦ２）を用いて効果顔料を製造することもできる。
【０１６６】
上記効果は、顔料集合体の粒度や、粒度分布を介して制御できる。適当な粒度分布は、例えば２〜５０μｍ、５〜２５μｍ、５〜４０μｍ、５〜６０μｍ、５ 〜９５μｍ、５〜１００μｍ、１０〜６０μｍ、１０〜１００μｍ、１０〜１２５μｍ、２０〜１００μｍ、２０ 〜１５０μｍ、並びに＜１５μｍである。より広い粒度分布、例えば２０〜１５０μｍの粒度分布は光輝性の効果を引き起こし、他方で＜１５μｍのより狭い粒度分布は、均一な絹のような外観をもたらす。
【０１６７】
本発明の組成物が一種または二種以上の効果顔料を含む場合は、これらは、対応する本発明の組成物の総重量を基準にして、好ましくは０．１〜２０．０重量％の量で、特に好ましくは０．５〜１０．０重量％の量で、−就中好ましくは１．０〜５．０重量％の量で、本発明の組成物中に含まれる。
【０１６８】
真珠光沢付与性成分としては、脂肪酸モノアルカノールアミド、脂肪酸ジアルカノールアミド、アルキレングリコール、特にエチレングリコール及び／またはプロピレングリコールまたはこれらのオリゴマーと高級脂肪酸、例えばパルミチン酸、ステアリン酸及びベヘン酸とのモノエステルまたはジエステル、グリセリンとカルボン酸、脂肪酸及びこれらの金属塩とのモノエステルもしくはポリエステル、ケトスルホン類、または上記の化合物の混合物が好適である。
特に好ましいものは、エチレングリコールジステアレート及び／またはグリコール単位数が平均で３のポリエチレングリコールジステアレートである。
【０１６９】
本発明の組成物が一種または二種以上の真珠光沢付与性化合物を含む場合は、これらは、対応する本発明の組成物の総重量を基準にして、好ましくは０．１〜１５．０重量％の量で、特に好ましくは１．０〜１０．０重量％の量で、本発明の組成物中に含まれる。
【０１７０】
フレグランス油または香油としては、個々の匂い化合物、例えばエステル、エーテル、アルデヒド、ケトン、アルコール及び炭化水素のタイプの合成生成物を使用することができる。エステルタイプの匂い化合物は、例えば、ベンジルアセテート、フェノキシエチルイソブチレート、ｐ−ｔｅｒｔ．−ブチルシクロヘキシルアセテート、リナリルアセテート、ジメチルベンジルカルビニルアセテート、フェニルエチルアセテート、リナリルベンゾエート、ベンジルホルミエート、エチル−メチルフェニルグリシネート、アリルシクロヘキシルプロピオネート、スチラリルプロピオネート及びベンジルサリチレートである。エーテルには、例えばベンジルエチルエーテルが、アルデヒドには、例えば炭素原子数８〜１８の線状アルカナール、シトラール、シトロネラール、シトロネリルオキシアセトアルデヒド、シクラメンアルデヒド、ヒドロキシシトロネラール、リリアール及びブルゲオナールが、ケトンには、例えばアイオノン、アルファ−イソメチルアイオノン及びメチル−セドリルケトンが、アルコールには、アネトール、シトロネロール、オイゲノール、ゲラニオン、リナロール、フェニルエチルアルコール及びテルピネオールが、炭化水素には主にテルペン類及びバルサム類が挙げられる。好ましくは、一緒になって心地良い香気を生む様々な匂い物質の混合物が使用される。
【０１７１】
香油は、植物性または動物性の源から得ることができるような天然の匂い物質混合物、例えばパイン油、シトラス油、ジャスミン油、ユリ油、バラ油、またはイランイラン油も含むことができる。大概の場合に芳香成分として使用される揮発性が比較的低いエーテル油も香油として適しており、例えばセージ油、カモミール油、チョウジ油、メリッサ油、ハッカ油、シナモンリーフ油、リンデンブロッサム油、ジュニパーベリー油、ベチバー油、オリバナム油、ガルバナム油及びラダナム油などがある。
【０１７２】
濁り剤としては、ポリマー分散物、特にポリアクリレート誘導体分散物、ポリアクリルアミド誘導体分散物、ポリ（アクリレート誘導体−ｃｏ−アクリルアミド誘導体）分散物、ポリ（スチレン誘導体−ｃｏ−アクリレート誘導体）分散物、飽和もしくは不飽和脂肪アルコールを使用することができる。
【０１７３】
シリコーンには、上記にシリコーン油もしくはシリコーンワックスについて挙げた物質を使用できる。
【０１７４】
ｐＨ値を調節するための酸またはアルカリとしては、好ましくは鉱酸、特にＨＣｌ、無機塩基、特にＮａＯＨまたはＫＯＨ、及び有機酸、特にクエン酸を使用できる。
【０１７５】
本発明の組成物は、好ましくは２〜１０、特に好ましくは２〜７、就中好ましくは２．５〜６．５のｐＨ値を有する。
【０１７６】
本発明のポリマーは、増粘剤、コンシステンシー付与剤、乳化剤、感覚添加剤、可溶化剤、分散剤、滑剤、接着剤、安定化剤または降伏点発生剤（Ｆｌｉｅｓｓｇｒｅｎｚｅｎｂｉｌｄｎｅｒ）として有利に適している。
【０１７７】
それ故、本発明の更に別の対象は、増粘剤、コンシステンシー付与剤、乳化剤、感覚添加剤、可溶化剤、分散剤、滑剤、接着剤、安定化剤または降伏点発生剤として、好ましくは増粘剤、コンシステンシー付与剤または感覚添加剤として、特に好ましくは増粘剤または感覚添加剤として、就中好ましくは感覚添加剤として、非常に好ましくは化粧料組成物、皮膚科学的組成物または医薬組成物中でのこれらの剤として、一種または二種以上の本発明のポリマーの使用に関する。
【０１７８】
本発明の更に別の好ましい実施形態の一つでは、本発明のポリマーは、エマルション、好ましくは塩含有エマルション、特に好ましくは塩含有化粧料エマルション、皮膚科学的エマルションまたは医薬用エマルションの安定化に使用される。
【０１７９】
本発明のポリマーは酸安定性であり、低いｐＨ値を有する化粧料組成物、皮膚科学的組成物または医薬組成物、特に身体または顔の皮膚のケア及びトリートメントのためのこれらの組成物中に使用するのに有利に適している。
【０１８０】
それ故、本発明の更に別の対象は、好ましくは化粧料組成物、皮膚科学的組成物または医薬組成物中で、特に好ましくは酸性の化粧料組成物、皮膚科学的組成物または医薬組成物中で、身体または顔の皮膚のケア及びトリートメントのための、一種または二種以上の本発明のポリマーの使用である。
【０１８１】
更に有利なことは、本発明のポリマーは、追加の感覚添加剤を一緒に使用しなくとも及び／または追加の増粘剤を一緒に使用しなとも、組成物中に、好ましくは化粧料組成物、皮膚科学的組成物または医薬組成物中に使用できることである。それ故、追加の感覚添加剤及び／または増粘剤を一緒に使用することは必須ではないが、可能である。他の既知の感覚添加剤及び／または増粘剤との組み合わせは、特定の化粧料プロフィルの調整及び相乗効果の利用のために望ましい場合がある。好ましくは、これらの組成物は、水系の、水−アルコール系の、水−界面活性剤系の、水−アルコール系界面活性剤含有の化粧料、皮膚科学的組成物または医薬組成物として存在し、この際、これらは、好ましくは、感覚添加剤及び追加の増粘剤から選択される追加の物質は含まない。
【０１８２】
既に述べたように、本発明の組成物は、本発明の更に別の好ましい実施形態の一つでは、無機及び有機系ＵＶフィルターから選択される一種または二種以上の物質を含み、そして特に好ましくは、サンスクリーン組成物の形で存在する。この際、本発明のポリマーは、サンスクリーン組成物の日焼け防止指数（Ｓｏｎｎｅｎｓｃｈｕｔｚｆａｋｔｏｒ）を高めることができるという利点を示す。
【０１８３】
それ故、サンスクリーン組成物の日焼け防止指数を高めるための、一種または二種以上の本発明のポリマーの使用も本発明の更に別の対象である。
【実施例】
【０１８４】
以下の例及び使用は、本発明をより詳しく説明するものであるが、本発明はこれらの例に限定されない。
【０１８５】
Ａ）本発明のポリマーの製造例
Ｔｅｒｔ．−ブタノール中での析出法による本発明ポリマーの製造のための一般的な重合手順
環流冷却器、ガス導入部、内部温度計及び攪拌機を備えた１Ｌクイックフィットフラスコ中に、４００ｇのｔｅｒｔ．−ブタノールを仕込み、そして計算量の２−アクリルアミド−２−メチル−プロパンスルホン酸（ＡＭＰＳ（登録商標），Ｌｕｂｒｉｚｏｌ）と混合する。次いで、ＮＨ３を導入して中和し（所望のｐＨ値は６〜７）、そして計算量の架橋剤及び計算量の他のコモノマーを反応混合物中に加える。コモノマーの添加の後に反応混合物のｐＨ値が酸性領域に移ったら、これをＮＨ３の導入によって再び中和する（所望のｐＨ値は６〜７）。混合物をＮ２またはアルゴンで不活性化した後に、６０℃の内部温度下に、ジラウロイルパーオキシド（ＤＬＰ）またはジメチル２，２’−アゾビス（２−メチルプロピオネート）（Ｖ６０１）を開始剤として添加し、そして重合反応を開始する。数分間後、完成したポリマーが析出する。この混合物を二時間環流下に加熱し、次いで吸引濾過してポリマーから溶剤を除去し、そして減圧乾燥する。この手順を、一般的に、以下に記載の全ての重合反応に使用できる。
【０１８６】
以下の例１〜５０のポリマーの製造のために、上記の一般重合手順に従い行った。以下の例１〜５０に記載の表では、各々の上の行には、重合に使用したモノマー及び開始剤の絶対量（グラム“ｇ”）を、及び各々の中間の行には、重量％に換算した対応する量を示す。各々の下の行には、開始剤は考慮していないモノマーのモル分率（モル％）を示す。
【０１８７】
モノマー、架橋剤及び開始剤の以下の例に記載の略語は次の意味を有する：
ＡＭＰ５＝２−アクリルアミド−２−メチル−プロパンスルホン酸
ＨＥＥＡ＝ヒドロキシエチルアクリルアミド
ＤＭＡＡｍ＝ジメチルアクリルアミド
ＮＩＰＡ＝イソプロピルアクリルアミド
ＮＶＰ＝Ｎ−ビニルピロリドン
ＭＡＳ＝メタクリル酸
ＧＰＴＡ＝グリセリンプロポキシレートトリアクリレート
ＧＰ１５ＴＡ＝グリセリンプロポキシレートトリアクリレート（１５／３ＰＯ／ＯＨ）
ＴＭＰＴＡ−ＰＯ−３＝トリメチロールプロパンプロポキシトリアクリレート（３／３ＰＯ／ＯＨ）
ＴＭＰＴＡ−ＥＯ−３＝トリメチロールプロパンエトキシトリアクリレート（３／３ＥＯ／ＯＨ）
ＴＭＰＴＡ−ＥＯ−１５＝トリメチロールプロパンエトキシトリアクリレート（１５／３ＥＯ／ＯＨ）
Ｖ６０１＝ジメチル２，２’−アゾビス（２−メチルプロピオネート）
ＤＬＰ＝ジラウロイルパーオキシド
【０１８８】
【表２】
0005976687.tif 000011
【０１８９】
【表３】
0005976687.tif 000012
【０１９０】
【表４】
0005976687.tif 000013
【０１９１】
【表５】
0005976687.tif 000014
【０１９２】
【表６】
0005976687.tif 000015
【０１９３】
【表７】
0005976687.tif 000016
【０１９４】
【表８】
0005976687.tif 000017
【０１９５】
【表９】
0005976687.tif 000018
【０１９６】
【表１０】
0005976687.tif 000019
【０１９７】
【表１１】
0005976687.tif 000020
【０１９８】
【表１２】
0005976687.tif 000021
【０１９９】
【表１３】
0005976687.tif 000022
【０２００】
【表１４】
0005976687.tif 000023
【０２０１】
【表１５】
0005976687.tif 000024
【０２０２】
【表１６】
0005976687.tif 000025
【０２０３】
【表１７】
0005976687.tif 000026
【０２０４】
【表１８】
0005976687.tif 000027
【０２０５】
【表１９】
0005976687.tif 000028
【０２０６】
【表２０】
0005976687.tif 000029
【０２０７】
【表２１】
0005976687.tif 000030
【０２０８】
【表２２】
0005976687.tif 000031
【０２０９】
【表２３】
0005976687.tif 000032
【０２１０】
【表２４】
0005976687.tif 000033
【０２１１】
【表２５】
0005976687.tif 000034
【０２１２】
【表２６】
0005976687.tif 000035
【０２１３】
【表２７】
0005976687.tif 000036
【０２１４】
【表２８】
0005976687.tif 000037
【０２１５】
【表２９】
0005976687.tif 000038
【０２１６】
【表３０】
0005976687.tif 000039
【０２１７】
【表３１】
0005976687.tif 000040
【０２１８】
【表３２】
0005976687.tif 000041
【０２１９】
【表３３】
0005976687.tif 000042
【０２２０】
【表３４】
0005976687.tif 000043
【０２２１】
【表３５】
0005976687.tif 000044
【０２２２】
【表３６】
0005976687.tif 000045
【０２２３】
【表３７】
0005976687.tif 000046
【０２２４】
【表３８】
0005976687.tif 000047
【０２２５】
【表３９】
0005976687.tif 000048
【０２２６】
【表４０】
0005976687.tif 000049
【０２２７】
【表４１】
0005976687.tif 000050
【０２２８】
【表４２】
0005976687.tif 000051
【０２２９】
【表４３】
0005976687.tif 000052
【０２３０】
【表４４】
0005976687.tif 000053
【０２３１】
【表４５】
0005976687.tif 000054
【０２３２】
【表４６】
0005976687.tif 000055
【０２３３】
【表４７】
0005976687.tif 000056
【０２３４】
【表４８】
0005976687.tif 000057
【０２３５】
【表４９】
0005976687.tif 000058
【０２３６】
【表５０】
0005976687.tif 000059
【０２３７】
【表５１】
0005976687.tif 000060
【０２３８】
Ｂ）塩の存在下での増粘化の例及び本発明のポリマーの感覚的性質の例
Ｂ１）塩の存在下での増粘化
本発明のポリマーは、従来技術によるＣｌａｒｉａｎｔ社のＡｒｉｓｔｏｆｌｅｘ（登録商標）ＡＶＣポリマーよりも、塩の存在下により高い粘度をもたらす。この粘度は、水中２重量％の塩化ナトリウムの溶液中で２重量％のポリマー濃度で測定した。
【０２３９】
前記粘度は、ブルックフィールド粘度計モデルＤＶＩＩ、スピンドルセットＲＶからのスピンドルを用いて、２０回転／分及び２０℃で測定した。スピンドルセットＲＶからのスピンドル１〜７を使用する、これらの測定条件下に、最大５００ｍＰａ・ｓの粘度にはスピンドル１を、最大１，０００ｍＰａ・ｓの粘度にはスピンドル２を、最大５，０００ｍＰａ・ｓの粘度にはスピンドル３を、最大１０，０００ｍＰａ・ｓの粘度にはスピンドル４を、最大２０，０００ｍＰａ・ｓの粘度にはスピンドル５を、最大５０，０００ｍＰａ・ｓの粘度にはスピンドル６を、そして最大２００，０００ｍＰａ・ｓの粘度にはスピンドル７を選択した。
【０２４０】
【表５２】
0005976687.tif 000061
Ｂ２）感覚的性質
追加的に、感覚的性質試験を、１０名の被験者のパネル試験内で行った。この際、本発明のポリマーの感覚的性質を、以下のベース処方を使用して試験した。
【０２４１】
【表５３】
0005976687.tif 000062
この際、調合物は、以下に記載のポリマーを使用して調製した。ここで、Ａｒｉｓｔｏｆｌｅｘ（登録商標）ＡＶＣ（２−アクリルアミド−２−メチル−プロパンスルホン酸、ビニルピロリドン及び架橋剤としてのトリメチロールプロパントリアクリレートをベースとする、ＥＰ１１１６７３３（特許文献１５）に相当するポリマー）を比較ポリマーとして使用し、そして感覚的性質を評価した。ポリマーの総合評価は、符号＋＋＝非常に良好、＋＝良好、○＝満足、−＝不満足として評価した。
【０２４２】
【表５４】
0005976687.tif 000063
【０２４３】
Ｃ）本発明の化粧料調合物の例
例において以下に記載する全ての百分率の値は、他に明示的に記載がなければ重量％である。
【０２４４】
以下の化粧料調合物を本発明のポリマーを用いて調製した。
【０２４５】
【表５５】
0005976687.tif 000064
調製：
ポリマーを水中に混ぜ入れ、然るべきアルコール（これには、ピロクトン・オラミンまたはトリクロサンなどの抗菌有効物質を溶解してもよい）を加えそしてホモジナイズする。その結果、透明なジェルが生じる。
【０２４６】
【表５６】
0005976687.tif 000065
調製：
例１及び２のポリマーを水（場合によっては及びソルビトール）中に溶解する。カルボマーを添加する場合には、次いでＮａＯＨでｐＨ＝７に中和する。残りの成分を、場合によりＰＧＥ−４０水素化ヒマシ油と混合し、そして増粘された水相中に混ぜ入れる。
【０２４７】
【表５７】
0005976687.tif 000066
調製：
セチルアルコール及びラウレス硫酸ナトリウムを６０℃に加熱し、混合し、そして攪拌しながら、他の成分が溶解されている水相中に導入する。
【０２４８】
【表５８】
0005976687.tif 000067
調製：
４−メチル−６−（シクロヘキシル）−１−ヒドロキシ−２−ピリドンをプロピレングリコール中に溶解する。本発明のポリマーを水中に溶解し、次いで過酸化水素溶液を混ぜ入れ、その後、安定化剤としてのピロリン酸ナトリウム、並びにプロピレングリコール溶液を混ぜ入れる。
【０２４９】
２０℃で約３，０００ｍＰａ・ｓの粘度を有するジェルが生ずる。
着色手順：
５０ｍｌのカラーベースを５０ｍｌのデベロッパージェルと混ぜ合わせ、そして毛髪に適用する。３０分後すすぐ。
【０２５０】
【表５９】
0005976687.tif 000068
調製：
４−メチル−６−（２，４，４−トリメチルペンチル）−１−ヒドロキシ−２−ピリドンをプロピレングリコール中に溶解する。このポリマーを水中に溶解し、次いで過酸化水素溶液を混ぜ入れ、その後、二つの安定化剤及び前記プロピレングリコール溶液を混ぜ入れる。
【０２５１】
【表６０】
0005976687.tif 000069
調製：
４−メチル−６−（２，４，４−トリメチルペンチル）−１−ヒドロキシ−２−ピリドンをプロピレングリコール中に溶解する。
【０２５２】
ポリマーを水中に溶解し、過酸化水素溶液及びピロリン酸塩並びに前記プロピレングリコール溶液を導入しそしてホモジナイズする。
【０２５３】
【表６１】
0005976687.tif 000070
調製：
Ａを加温しながら相Ｂ中に溶解する。相Ｃを相Ｄ中に分散し、そして水相中に混ぜ入れる。次いで、相Ｅ及びＦを混ぜ入れる。
【０２５４】
【表６２】
0005976687.tif 000071
調製：
油相Ａを８０℃に加熱し、そしてポリマーＢを混ぜ入れる。相Ｃをゆっくりと少しずつ、強く攪拌しながら加え、そして室温まで放冷する。
【０２５５】
【表６３】
0005976687.tif 000072
調製：
Ｂの成分を順次Ａ中に溶解する。
【０２５６】
【表６４】
0005976687.tif 000073
調製：
ポリマーを水中に溶解し、次いで相Ｃ、Ｄ及びＥを順次導入し、そしてホモジナイズする。
【０２５７】
【表６５】
0005976687.tif 000074
調製：
相Ａを混合し、次いで相Ｂ及び相Ｃを順次加え、そしてｐＨ値を相ＥでｐＨ＝５．５に調節する。次いで、均一で透明なジェルが生ずるまで相Ｄを混ぜ入れる。
【０２５８】
【表６６】
0005976687.tif 000075
調製：
Ｂの成分を順次相Ａ中に混ぜ入れる。
【０２５９】
【表６７】
0005976687.tif 000076
調製：
相Ａを加温しながら相Ｂ中に溶解し、相Ｃを混ぜ入れ、相Ｄを加え、そして相ＥでｐＨを６．５に調節する。相Ｆを混合し、次いで加え、その後、相Ｇを加えそして均一なジェルが達成されるまで攪拌する。場合によっては、相Ｈを用いて、ｐＨを６．５に調節し、そして防腐剤Ｉを混ぜ入れる。
【０２６０】
【表６８】
0005976687.tif 000077
調製：
相Ａを７０℃で溶融し、相Ｂを撒き入れ、そして７０℃に加温した相Ｃを混ぜ入れる。３５℃に冷却した後、相Ｄを混ぜ入れ、次いで相ＥでｐＨ＝６に調節する。
【０２６１】
【表６９】
0005976687.tif 000078
調製：
相Ａを８０℃で溶融し、相Ｂ及び相Ｃを順次混ぜ入れる。相Ｄを相Ｅ中に予め溶解し、そして添加する、相Ｆを３５℃で混ぜ入れ、そして相ＧでｐＨ値を６．０に調節する。ゲルクリームが得られる。
【０２６２】
【表７０】
0005976687.tif 000079
調製：
相Ａを８０℃で溶融し、相Ｂ及び相Ｃを順次混ぜ入れる。相Ｄを相Ｅ中に予め溶解し、そして添加する。相Ｆを３５℃で混ぜ入れ、そして相ＧでｐＨ値を６．０に調節する。ゲルクリームが得られる。
【０２６３】
【表７１】
0005976687.tif 000080
調製：
相Ａを８０℃で溶融し、相Ｂ及び相Ｃを順次混ぜ入れる。相Ｄを３０℃で加え、最後に相Ｅを混ぜ入れる。ｐＨ値が４．２のクリームが生ずる。
【０２６４】
調合物例２７〜３２：高い日焼け防止指数を有するＷ／Ｏサンスクリーン調合物
サンスクリーン剤では、本発明のポリマーは、サンスクリーン調合物のより良好な分配性に寄与し、そして化粧料及び医薬用製品に心地よい皮膚感及び良好な塗り広げ性を与える。
【０２６５】
以下の表に示したサンスクリーン調合物を調製した。
【０２６６】
【表７２】
0005976687.tif 000081
調製：
調製のためには、油溶性成分を８０℃に加熱し、セチルリン酸カリウム及び本発明のポリマーを順次撒き入れ、そして一緒にして水溶性相を、ゆっくりと強く攪拌しながら、油相中に導入した。生成したエマルションを、攪拌しながら室温まで放冷した。
【０２６７】
調合物例２７〜３２で使用したサンスクリーンフィルター、それの商品名及びそれのＵＶ保護範囲を以下の表に示す。
【０２６８】
【表７３】
0005976687.tif 000082
【０２６９】
【表７４】
0005976687.tif 000083
調製：
相Ａをホモジナイズしそして６０℃で溶解し、そして相Ｂ中に混ぜ入れ、次いで相Ｃを攪拌しながら加え、そして１分間当たり３００回転で攪拌する。次いで、相Ｄを混ぜ入れ、そしてＥでｐＨ値を調節する。
【０２７０】
【表７５】
0005976687.tif 000084
調製：
相Ａを６０℃に加熱し、相Ｂを混ぜ入れ、次いで相Ｃを攪拌しながら加え、そして１分間当たり３００回転で攪拌し、そして放冷する。相Ｄを３５℃で混ぜ入れ、相Ｅを加え、そして最後にホモジナイズする。
【０２７１】
【表７６】
0005976687.tif 000085
調製：
相Ａを７０℃に加熱し、相Ｃを７０℃に加熱する。相Ｂを相Ａ中に混ぜ入れ、次いで相Ｃを加え、そして十分にホモジナイズする。４０℃未満に冷却した後、相Ｄを加え、そして一分間ホモジナイズする。
本願は特許請求の範囲に記載の発明に係るものであるが、本願の開示は以下も包含する。
１．
ａ）次式（１）の一種または二種以上の互いに独立した繰り返し構造単位２０．０〜９８．９７モル％、
【化７】
0005976687.tif 000086
［式中、
Ｒａは、水素、メチルまたはエチルを意味し、
Ａは、線状もしくは分枝状Ｃ１−Ｃ１２−アルキレンを意味し、そして
Ｑ＋は、対イオンを表す］
及び
ｂ）次式（２）の一種または二種以上の互いに独立した繰り返し構造単位１．０〜６０．０モル％、
【化８】
0005976687.tif 000087
［式中、
Ｒｂは、水素、メチルまたはエチルを意味し、
Ｒｃは、水素、炭素原子数１〜５０の線状もしくは分枝状アルキル基、炭素原子数２〜６の線状もしくは分枝状モノ−ヒドロキシアルキル基、または炭素原子数２〜６の線状もしくは分枝状ジ−ヒドロキシアルキル基を意味し、
Ｒｄは、炭素原子数１〜５０の線状もしくは分枝状アルキル基、炭素原子数２〜６の線状もしくは分枝状モノ−ヒドロキシアルキル基または炭素原子数２〜６の線状もしくは分枝状ジ−ヒドロキシアルキル基を意味する］
及び
ｄ）次式（５）の一種また二種以上の互いに独立した繰り返し架橋性構造単位０．０１〜８．０モル％、
【化９】
0005976687.tif 000088
［式中、
Ｒ１は、水素、メチル、エチル、メチロールまたはエチロールを意味し、
Ｒ２ａ、Ｒ２ｂ及びＲ２ｃは、それぞれ互いに独立して、水素、メチルまたはエチルを意味し、
Ｘは、化学結合、メチレン、エチレンまたは炭素原子数３の線状もしくは分枝状アルキレン基を意味し、
Ｙ１、Ｙ２及びＹ３は、それぞれ互いに独立して、化学結合、Ｏ、ＣＨ２、Ｃ（Ｏ）Ｏ、ＯＣ（Ｏ）、Ｃ（Ｏ）ＮＲ３またはＮＲ３Ｃ（Ｏ）を意味し、
Ｒ３は、水素またはＣ原子数１〜５０の線状もしくは分枝状アルキル基を意味し、
Ｄ、Ｅ及びＦは、それぞれ互いに独立して、メチレンオキシ、エチレンオキシ、プロピレンオキシ、炭素原子数１〜６の線状もしくは分枝状アルキレン基、炭素原子数２〜６の線状もしくは分枝状でモノ不飽和もしくはポリ不飽和のアルケニレン基、炭素原子数２〜６の線状もしくは分枝状モノ−ヒドロキシアルキレン基、または炭素原子数３〜６の線状もしくは分枝状ジ−ヒドロキシアルキレン基を意味し、
ｏ、ｐ及びｑは、それぞれ互いに独立して、０〜５０の整数を意味し、そしてｏ＋ｐ＋ｑの合計は≧３である］
を含む水溶性または水膨潤性ポリマー。
２．
式（１）の一種または二種以上の構造単位が、２−アクリルアミド−２−メチル−プロパンスルホン酸またはそれの塩から誘導されることを特徴とする、上記１に記載のポリマー。
３．
Ｑ＋が、Ｈ＋、ＮＨ４＋、有機アンモニウムイオン［ＨＮＲ５Ｒ６Ｒ７］＋（式中、Ｒ５、Ｒ６及びＲ７は、互いに独立して、水素、炭素原子数１〜２２の線状もしくは分枝状アルキル基、炭素原子数２〜２２の線状もしくは分枝状でモノ不飽和もしくはポリ不飽和のアルケニル基、Ｃ６−Ｃ２２−アルキルアミドプロピル基、炭素原子数２〜１０の線状モノ−ヒドロキシアルキル基、または炭素原子数３〜１０の線状もしくは分枝状ジ−ヒドロキシアルキル基であることができ、この際、Ｒ５、Ｒ６及びＲ７基のうちの少なくとも一つは水素ではない）、アルカリ金属＋、１／２アルカリ土類金属＋＋、１／２Ｚｎ＋＋または１／３Ａｌ＋＋＋あるいはこれらのイオンの混合物を表すことを特徴とする、上記１または２に記載のポリマー。
４．
Ｑ＋が、Ｈ＋、ＮＨ４＋、アルカリ金属＋、アルカリ土類金属＋＋またはこれらのイオンの混合物を表すことを特徴とする、上記３に記載のポリマー。
５．
式（１）の一種または二種以上の構造単位の中和度が５０．０〜１００モル％であることを特徴とする、上記１〜４の一つまたはそれ以上に記載のポリマー。
６．
式（２）の一種または二種以上の構造単位において、Ｒｂが水素またはメチルであり、Ｒｃが、Ｈ、炭素原子数１〜６の線状もしくは分枝状アルキル基、または炭素原子数２〜６の線状もしくは分枝状モノ−ヒドロキシアルキル基であり、そしてＲｄが、炭素原子数１〜６の線状もしくは分枝状アルキル基または炭素原子数２〜６の線状もしくは分枝状モノ−ヒドロキシアルキル基であることを特徴とする、上記１〜５の一つまたはそれ以上に記載のポリマー。
７．
式（５）の一種または二種以上の構造単位において、Ｒ１が水素またはエチルであり、Ｒ２ａ、Ｒ２ｂ及びＲ２ｃが、それぞれ互いに独立して、水素またはメチルであり、Ｘが、化学結合またはメチレンであり、Ｙ１、Ｙ２及びＹ３が、それぞれ互いに独立して、Ｃ（Ｏ）ＯまたはＯＣ（Ｏ）であり、Ｄ、Ｅ及びＦが、それぞれ互いに独立して、エチレンオキシまたはプロピレンオキシであり、ｏ、ｐ及びｑが、それぞれ互いに独立して、０〜３０の整数であり、そしてｏ＋ｐ＋ｑの合計が３〜２０であることを特徴とする、上記１〜６の一つまたはそれ以上に記載のポリマー。
８．
式（５）の一種または二種以上の構造単位が、グリセリンプロポキシレートトリアクリレート（ＧＰＴＡ）、トリメチロールプロパンプロポキシトリアクリレート（ＴＭＰＴＡ−ＰＯ−３）及びトリメチロールプロパンエトキシトリアクリレート（ＴＭＰＴＡ−ＥＯ−３）からなる群から選択される一種または二種以上の架橋剤に由来することを特徴とする、上記７に記載のポリマー。
９．
追加的に次式（３）の一種または二種以上の互いに独立した繰り返し構造単位を０．０１〜３０．０モル％、好ましくは０．１〜２０．０モル％、特に好ましくは０．５〜１５．０モル％含むことを特徴とする、上記１〜８の一つまたはそれ以上に記載のポリマー。
【化１０】
0005976687.tif 000089
［式中、
Ｒｘは、水素、メチルまたはエチルを意味し、そして
ｍは、２〜９の整数を意味する］
１０．
追加的に次式（４）の一種または二種以上の互いに独立した繰り返し構造単位を０．０１〜３０．０モル％、好ましくは０．１〜２０．０モル％、特に好ましくは０．５〜１５．０モル％含む、上記１〜９の一つまたはそれ以上に記載のポリマー。
【化１１】
0005976687.tif 000090
［式中、
Ｒｙは、水素、メチルまたはエチルを意味し、そして
Ｘ＋は、対イオンを表す］
１１．
次式（１０）の構造単位を含まないことを特徴とする、上記１〜１０の一つまたはそれ以上に記載のポリマー。
【化１２】
0005976687.tif 000091
［式中、
Ｒ１ａは、水素、メチルまたはエチルを意味し、
Ｚ＋は、対イオンを表し、
Ｂは、炭素原子数１〜６の線状もしくは分枝状アルキレン基であり、そして
ｎは、１〜１０の整数である］
１２．
上記１〜１１の一つまたはそれ以上に記載の一種または二種以上のポリマーを、組成物の総重量を基準にして０．０１〜１０．０重量％の量で含む、化粧料組成物、皮膚科学的組成物または医薬組成物。
１３．
水系もしくは水−アルコール系として構成されるか、またはエマルションとして存在することを特徴とする、上記１２に記載の化粧料組成物、皮膚科学的組成物または医薬組成物。
１４．
無機塩及び有機塩から選択される一種または二種以上の物質を含むことを特徴とする、上記１２または１３に記載の化粧料組成物、皮膚科学的組成物または医薬組成物。
１５．
アルファ−及びベータ−ヒドロキシ酸から選択される一種または二種以上の物質を含むことを特徴とする、上記１２〜１４の一つまたはそれ以上に記載の化粧料組成物、皮膚科学的組成物または医薬組成物。
１６．
ビタミンＣ及びビタミンＣ誘導体から選択される一種または二種以上の物質を含むことを特徴とする、上記１２〜１５の一つまたはそれ以上に記載の化粧料組成物、皮膚科学的組成物または医薬組成物。
１７．
安息香酸、ソルビン酸、サリチル酸、乳酸及びパラメトキシ安息香酸から選択される一種または二種以上の物質を含むことを特徴とする、上記１２〜１６の一つまたはそれ以上に記載の化粧料組成物、皮膚科学的組成物または医薬組成物。
１８．
一種または二種以上の抗菌有効物質を含み、そして消毒用ジェルの形で存在することを特徴とする、上記１２〜１７の一つまたはそれ以上に記載の化粧料組成物、皮膚科学的組成物または医薬組成物。
１９．
無機及び有機ＵＶ−フィルターから選択される一種または二種以上の物質を含み、そして好ましくはサンスクリーン組成物の形で存在することを特徴とする、上記１２〜１８の一つまたはそれ以上に記載の化粧料組成物、皮膚科学的組成物または医薬組成物。
２０．
ｐＨ値が２〜１０であることを特徴とする、上記１２〜１９の一つまたはそれ以上に記載の化粧料組成物、皮膚科学的組成物または医薬組成物。
２１．
増粘剤、コンシステンシー付与剤、乳化剤、感覚添加剤、可溶化剤、分散剤、滑剤、接着剤、安定化剤または降伏点発生剤としての、上記１〜１１の一つまたはそれ以上に記載の一種または二種以上のポリマーの使用。
２２．
エマルションの安定化、好ましくは塩含有エマルションの安定化のための、上記２１に記載の一種または二種以上のポリマーの使用。